(57)【要約】【課題】高解像度で高品位な画像を低消費電力で表示でき、より高速で動作しより明るい表示が得られる電気光学装置を実現すること。【解決手段】電気光学装置１０は、第１走査線４２と、第２走査線４５と、信号線４３と、第１走査線４２及び第２走査線４５と信号線４３との交差に対応して設けられた画素回路４１と、第１走査線４２に選択信号又は非選択信号を供給し、第２走査線４５に保持信号又は非保持信号を供給する走査線駆動回路５２と、を備え、走査線駆動回路５２は、選択信号と非保持信号とを同一期間に出力し得ることを特徴とする。【選択図】図８
2019144295.tif 000002
【特許請求の範囲】
【請求項１】
第１走査線と、
第２走査線と、
信号線と、
前記第１走査線及び前記第２走査線と前記信号線との交差に対応して設けられた画素回路と、
前記第１走査線に選択信号又は非選択信号を供給し、前記第２走査線に保持信号又は非保持信号を供給する走査線駆動回路と、を備え、
前記走査線駆動回路は、前記選択信号と前記非保持信号とを同一期間に出力し得ることを特徴とする電気光学装置。
【請求項２】
前記走査線駆動回路は選択回路と第１否定回路とを含み、
前記選択回路の出力信号から前記選択信号と前記非選択信号とを形成し、
前記出力信号から前記第１否定回路を用いて前記保持信号と前記非保持信号とを形成することを特徴とする請求項１に記載の電気光学装置。
【請求項３】
前記走査線駆動回路は入力信号を調整する第１調整回路を含み、
前記出力信号は元選択信号を含み、
前記第１調整回路を用いて前記元選択信号から前記選択信号を形成することを特徴とする請求項２に記載の電気光学装置。
【請求項４】
前記走査線駆動回路は入力信号を調整する第２調整回路を含み、
前記出力信号は元選択信号を含み、
前記第２調整回路と前記第１否定回路とを用いて前記元選択信号から前記非保持信号を形成することを特徴とする請求項２に記載の電気光学装置。
【請求項５】
前記走査線駆動回路は選択回路を含み、
前記選択回路の出力信号から前記選択信号と前記非選択信号とを形成し、
前記出力信号から前記保持信号と前記非保持信号とを形成することを特徴とする請求項１に記載の電気光学装置。
【請求項６】
前記走査線駆動回路は入力信号を調整する第１調整回路を含み、
前記出力信号は元選択信号を含み、
前記第１調整回路を用いて前記元選択信号から前記選択信号を形成することを特徴とする請求項５に記載の電気光学装置。
【請求項７】
前記走査線駆動回路は入力信号を調整する第２調整回路を含み、
前記出力信号は元選択信号を含み、
前記第２調整回路を用いて前記元選択信号から前記非保持信号を形成することを特徴とする請求項５に記載の電気光学装置。
【請求項８】
前記走査線駆動回路は選択回路と第１否定回路と第２否定回路とを含み、
前記選択回路の出力信号から前記第２否定回路を用いて前記選択信号と前記非選択信号とを形成し、
前記出力信号から前記第１否定回路を用いて前記保持信号と前記非保持信号とを形成することを特徴とする請求項１に記載の電気光学装置。
【請求項９】
前記走査線駆動回路は入力信号を調整する第１調整回路を含み、
前記出力信号は元選択信号を含み、
前記第１調整回路と前記第２否定回路とを用いて前記元選択信号から前記選択信号を形成することを特徴とする請求項８に記載の電気光学装置。
【請求項１０】
前記走査線駆動回路は入力信号を調整する第２調整回路を含み、
前記出力信号は元選択信号を含み、
前記第２調整回路と前記第１否定回路とを用いて前記元選択信号から前記非保持信号を形成することを特徴とする請求項８に記載の電気光学装置。
【請求項１１】
前記走査線駆動回路は選択回路と第２否定回路とを含み、
前記選択回路の出力信号から前記第２否定回路を用いて前記選択信号と前記非選択信号とを形成し、
前記出力信号から前記保持信号と前記非保持信号とを形成することを特徴とする請求項１に記載の電気光学装置。
【請求項１２】
前記走査線駆動回路は入力信号を調整する第１調整回路を含み、
前記出力信号は元選択信号を含み、
前記第１調整回路と前記第２否定回路とを用いて前記元選択信号から前記選択信号を形成することを特徴とする請求項１１に記載の電気光学装置。
【請求項１３】
前記走査線駆動回路は第２調整回路を含み、
前記出力信号は元選択信号を含み、
前記第２調整回路を用いて前記元選択信号から前記非保持信号を形成することを特徴とする請求項１１に記載の電気光学装置。
【請求項１４】
請求項１乃至１３のいずれか一項に記載の電気光学装置を備えたことを特徴とする電子機器。
【請求項１５】
第１行線と、
第２行線と、
列線と、
前記第１行線及び第２行線と前記列線との交差に対応して設けられた要素回路と、
前記第１行線に第１信号又は非第１信号を供給し、前記第２行線に第２信号又は非第２信号を供給する行線駆動回路と、を備え、
前記行線駆動回路は前記第１信号と前記非第２信号とを同一期間に出力し得ることを特徴とする電子装置。
【請求項１６】
前記行線駆動回路は選択回路と第１否定回路とを含み、
前記選択回路の出力信号から前記第１信号と前記非第１信号とを形成し、
前記出力信号から前記第１否定回路を用いて前記第２信号と前記非第２信号とを形成することを特徴とする請求項１５に記載の電子装置。
【請求項１７】
前記行線駆動回路は選択回路を含み、
前記選択回路の出力信号から前記第１信号と前記非第１信号とを形成し、
前記出力信号から前記第２信号と前記非第２信号とを形成することを特徴とする請求項１５に記載の電子装置。
【請求項１８】
前記行線駆動回路は選択回路と第１否定回路と第２否定回路とを含み、
前記選択回路の出力信号から前記第２否定回路を用いて前記第１信号と前記非第１信号とを形成し、
前記出力信号から前記第１否定回路を用いて前記第２信号と前記非第２信号とを形成することを特徴とする請求項１５に記載の電子装置。
【請求項１９】
前記行線駆動回路は選択回路と第２否定回路とを含み、
前記選択回路の出力信号から前記第２否定回路を用いて前記第１信号と前記非第１信号とを形成し、
前記出力信号から前記第２信号と前記非第２信号とを形成することを特徴とする請求項１５に記載の電子装置。
【請求項２０】
請求項１５乃至１９のいずれか一項に記載の電子装置を備えたことを特徴とする電子機器。
【発明の詳細な説明】
【技術分野】
【０００１】
本発明は、電気光学装置、電子装置、及び電子機器に関する。
【背景技術】
【０００２】
近年、虚像の形成及び観察を可能にする電子機器として、電気光学装置からの映像光を観察者の瞳に導くタイプのヘッドマウントディスプレイ（ＨＭＤ）が提案されている。こうした電子機器では、電気光学装置として、例えば、発光素子である有機ＥＬ（Electro Luminescence）素子を有する有機ＥＬ装置が使用されている。ヘッドマウントディスプレイに使用される有機ＥＬ装置では、高解像度化（画素の微細化）、表示の多階調化、低消費電力化が求められている。
【０００３】
従来の有機ＥＬ装置では、走査線に供給される走査信号により選択トランジスターがオン状態になると、信号線から供給される画像信号に基づく電位が駆動トランジスターのゲートに接続された容量素子に保持される。容量素子に保持された電位、即ち駆動トランジスターのゲート電位に応じて駆動トランジスターがオン状態になると、駆動トランジスターのゲート電位に応じた量の電流が有機ＥＬ素子に流れ、その電流量に応じた輝度で有機ＥＬ素子が発光する。
【０００４】
このように、従来の有機ＥＬ装置では、駆動トランジスターのゲート電位に応じて有機ＥＬ素子に流れる電流を制御するアナログ駆動により階調表示が行われるため、駆動トランジスターの電圧電流特性や閾値電圧のばらつきに起因して、画素間で明るさのばらつきや階調のずれが生じて表示品位が低下するという課題があった。これに対して、相補型の第１インバーター（１１ａ）と第２インバーター（１１ｂ）とが環状に接続されたメモリー回路を画素毎に備え、デジタル駆動により表示を行う有機ＥＬ装置（メモリー一体型表示素子）が提案されている（例えば、特許文献１参照）。
【０００５】
特許文献１に記載の有機ＥＬ装置では、第１インバーター及び第２インバーターは、電源ライン（基準電位）にソースが電気的に接続されたＰ型トランジスターと、接地線（接地電位）にソースが電気的に接続されたＮ型トランジスターとで構成されている。第１インバーターの入力は選択回路を介して信号線（データライン）に電気的に接続され、第１インバーターの出力は第２インバーターの入力に電気的に接続されており、第２インバーターの出力は第１インバーターの入力に電気的に接続されている。発光素子（ＯＬＥＤ）は、第１インバーターの出力と接地線との間に配置されている。選択期間に信号線から入力される信号の電位（Ｖｄ）は、発光素子を発光とするＬｏｗ（接地電位）、又は、発光素子を非発光とするＨｉｇｈ（基準電位）の２値のうちのいずれかとなる。例えば、選択回路で選択された画素において、信号線から第１インバーターの入力にＬｏｗの信号が入力されると、第１インバーターのＰ型トランジスターがオン状態になるので、電源ライン（基準電位）からＰ型トランジスターと発光素子とを介して接地線（接地電位）に至る経路が導通状態になり、発光素子が発光する。このとき、第１インバーターの出力がＨｉｇｈになるので第２インバーターの入力もＨｉｇｈとなり、第２インバーターの出力であるＬｏｗが第１インバーターの入力に帰還される。
【先行技術文献】
【特許文献】
【０００６】
【特許文献１】特開２００２−２８７６９５号公報
【発明の概要】
【発明が解決しようとする課題】
【０００７】
しかしながら、特許文献１に記載の有機ＥＬ装置では、例えば、第１インバーターの入力をＬｏｗからＨｉｇｈに書き換える際に、信号線からＨｉｇｈの信号が供給される前は、第１インバーターの入力の電位がＬｏｗ、即ち第２インバーターの入力の電位がＨｉｇｈであるため、第２インバーターのｎ型トランジスターはオン状態となっている。第２インバーターのｎ型トランジスターのソースは接地線に電気的に接続され、ドレインは第１インバーターの入力に信号が供給される信号線に電気的に接続されているため、信号線からＨｉｇｈの信号が供給されると、信号線から第２インバーターのｎ型トランジスターを経て接地線に至る経路が導通状態になる。そのため、第１インバーターの入力のＬｏｗからＨｉｇｈへの書き換えに時間がかかったり、書き換えができなかったりする不具合が生じるおそれがあるという課題があった。
【課題を解決するための手段】
【０００８】
本願の電気光学装置は、第１走査線と、第２走査線と、信号線と、前記第１走査線及び前記第２走査線と前記信号線との交差に対応して設けられた画素回路と、前記第１走査線に選択信号又は非選択信号を供給し、前記第２走査線に保持信号又は非保持信号を供給する走査線駆動回路と、を備え、前記走査線駆動回路は、前記選択信号と前記非保持信号とを同一期間に出力し得ることを特徴とする。
【０００９】
上記の電気光学装置において、前記走査線駆動回路は選択回路と第１否定回路とを含み、前記選択回路の出力信号から前記選択信号と前記非選択信号とを形成し、前記出力信号から前記第１否定回路を用いて前記保持信号と前記非保持信号とを形成することが好ましい。
【００１０】
上記の電気光学装置において、前記走査線駆動回路は入力信号を調整する第１調整回路を含み、前記出力信号は元選択信号を含み、前記第１調整回路を用いて前記元選択信号から前記選択信号を形成することが好ましい。
【００１１】
上記の電気光学装置において、前記走査線駆動回路は入力信号を調整する第２調整回路を含み、前記出力信号は元選択信号を含み、前記第２調整回路と前記第１否定回路とを用いて前記元選択信号から前記非保持信号を形成することが好ましい。
【００１２】
上記の電気光学装置において、前記走査線駆動回路は選択回路を含み、前記選択回路の出力信号から前記選択信号と前記非選択信号とを形成し、前記出力信号から前記保持信号と前記非保持信号とを形成することが好ましい。
【００１３】
上記の電気光学装置において、前記走査線駆動回路は入力信号を調整する第１調整回路を含み、前記出力信号は元選択信号を含み、前記第１調整回路を用いて前記元選択信号から前記選択信号を形成することが好ましい。
【００１４】
上記の電気光学装置において、前記走査線駆動回路は入力信号を調整する第２調整回路を含み、前記出力信号は元選択信号を含み、前記第２調整回路を用いて前記元選択信号から前記非保持信号を形成することが好ましい。
【００１５】
上記の電気光学装置において、前記走査線駆動回路は選択回路と第１否定回路と第２否定回路とを含み、前記選択回路の出力信号から前記第２否定回路を用いて前記選択信号と前記非選択信号とを形成し、前記出力信号から前記第１否定回路を用いて前記保持信号と前記非保持信号とを形成することが好ましい。
【００１６】
上記の電気光学装置において、前記走査線駆動回路は入力信号を調整する第１調整回路を含み、前記出力信号は元選択信号を含み、前記第１調整回路と前記第２否定回路とを用いて前記元選択信号から前記選択信号を形成することが好ましい。
【００１７】
上記の電気光学装置において、前記走査線駆動回路は入力信号を調整する第２調整回路を含み、前記出力信号は元選択信号を含み、前記第２調整回路と前記第１否定回路とを用いて前記元選択信号から前記非保持信号を形成することが好ましい。
【００１８】
上記の電気光学装置において、前記走査線駆動回路は選択回路と第２否定回路とを含み、前記選択回路の出力信号から前記第２否定回路を用いて前記選択信号と前記非選択信号とを形成し、前記出力信号から前記保持信号と前記非保持信号とを形成することが好ましい。
【００１９】
上記の電気光学装置において、前記走査線駆動回路は入力信号を調整する第１調整回路を含み、前記出力信号は元選択信号を含み、前記第１調整回路と前記第２否定回路とを用いて前記元選択信号から前記選択信号を形成することが好ましい。
【００２０】
上記の電気光学装置において、前記走査線駆動回路は第２調整回路を含み、前記出力信号は元選択信号を含み、前記第２調整回路を用いて前記元選択信号から前記非保持信号を形成することが好ましい。
【００２１】
本願の電子機器は、上記の電気光学装置を備えたことを特徴とする。
【００２２】
本願の電子装置は、第１行線と、第２行線と、列線と、前記第１行線及び第２行線と前記列線との交差に対応して設けられた要素回路と、前記第１行線に第１信号又は非第１信号を供給し、前記第２行線に第２信号又は非第２信号を供給する行線駆動回路と、を備え、前記行線駆動回路は前記第１信号と前記非第２信号とを同一期間に出力し得ることを特徴とする。
【００２３】
上記の電子装置において、前記行線駆動回路は選択回路と第１否定回路とを含み、前記選択回路の出力信号から前記第１信号と前記非第１信号とを形成し、前記出力信号から前記第１否定回路を用いて前記第２信号と前記非第２信号とを形成することが好ましい。
【００２４】
上記の電子装置において、前記行線駆動回路は選択回路を含み、前記選択回路の出力信号から前記第１信号と前記非第１信号とを形成し、前記出力信号から前記第２信号と前記非第２信号とを形成することが好ましい。
【００２５】
上記の電子装置において、前記行線駆動回路は選択回路と第１否定回路と第２否定回路とを含み、前記選択回路の出力信号から前記第２否定回路を用いて前記第１信号と前記非第１信号とを形成し、前記出力信号から前記第１否定回路を用いて前記第２信号と前記非第２信号とを形成することが好ましい。
【００２６】
上記の電子装置において、前前記行線駆動回路は選択回路と第２否定回路とを含み、前記選択回路の出力信号から前記第２否定回路を用いて前記第１信号と前記非第１信号とを形成し、前記出力信号から前記第２信号と前記非第２信号とを形成することが好ましい。
【００２７】
本願の電子機器は、上記の電子装置を備えたことを特徴とする。
【図面の簡単な説明】
【００２８】
【図１】本実施形態に係る電子機器の概要を説明する図。
【図２】本実施形態に係る電子機器の内部構造を説明する図。
【図３】本実施形態に係る電子機器の光学系を説明する図。
【図４】本実施形態に係る電気光学装置の構成を示す概略平面図。
【図５】本実施形態に係る電気光学装置の回路ブロック図。
【図６】本実施形態に係る画素の構成を説明する図。
【図７】本実施形態に係る電気光学装置のデジタル駆動を説明する図。
【図８】実施例１に係る画素回路の構成を説明する図。
【図９】実施例１に係る画素回路の駆動方法の一例を説明する図。
【図１０】実施例１に係る走査線駆動回路の構成を示すブロック図。
【図１１】実施例１に係る走査線駆動回路の構成を示すブロック図。
【図１２】実施例１に係る走査線駆動回路の動作を説明するタイミングチャート。
【図１３】実施例１に係る画素回路の駆動方法の別の例を説明する図。
【図１４】変形例１に係る走査線駆動回路の構成を説明する図。
【図１５】変形例１に係る画素回路の駆動方法の一例を説明する図。
【図１６】変形例２に係る走査線駆動回路の構成を説明する図。
【図１７】変形例２に係る画素回路の駆動方法の一例を説明する図。
【図１８】変形例３に係る走査線駆動回路の構成を説明する図。
【図１９】変形例３に係る画素回路の駆動方法の一例を説明する図。
【図２０】実施例２に係る画素回路の構成を説明する図。
【図２１】実施例２に係る走査線駆動回路の構成を示すブロック図。
【図２２】実施例２に係る走査線駆動回路の動作を説明するタイミングチャート。
【図２３】実施例３に係る画素回路の構成を説明する図。
【図２４】実施例３に係る走査線駆動回路の構成を示すブロック図。
【図２５】実施例３に係る走査線駆動回路の動作を説明するタイミングチャート。
【図２６】実施例４に係る画素回路の構成を説明する図。
【図２７】実施例４に係る走査線駆動回路の構成を示すブロック図。
【図２８】実施例４に係る走査線駆動回路の動作を説明するタイミングチャート。
【発明を実施するための形態】
【００２９】
以下、本発明の実施形態を、図面を用いて説明する。なお、以下の図面においては、各層や各部材を図面上で認識可能な程度の大きさとする為、各層や各部材毎に縮尺を異ならしめてある。
【００３０】
「電子機器の概要」
まず、図１を参照して電子機器の概要を説明する。図１は、本実施形態に係る電子機器の概要を説明する図である。
【００３１】
ヘッドマウントディスプレイ１００は、本実施形態に係る電子機器の一例であり、電気光学装置１０（図３参照）を備えている。図１に示すように、ヘッドマウントディスプレイ１００は、眼鏡のような外観を有している。このヘッドマウントディスプレイ１００を装着した使用者に対して、画像となる映像光ＧＬ（図３参照）を視認させると共に、使用者に外界光をシースルーで視認させている。要するに、ヘッドマウントディスプレイ１００は、外界光と映像光ＧＬとを重ねて表示させるシースルー機能を持ち、広画角かつ高性能でありながら、小型軽量となっている。
【００３２】
ヘッドマウントディスプレイ１００は、使用者の眼前を覆う透視部材１０１と、透視部材１０１を支持するフレーム１０２と、フレーム１０２の左右両端のカバー部から後方のつる部分（テンプル）にかけての部分に付加された第１内蔵装置部１０５ａと第２内蔵装置部１０５ｂとを備えている。
【００３３】
透視部材１０１は、使用者の眼前を覆う肉厚で湾曲した光学部材（透過アイカバー）であり、第１光学部分１０３ａと第２光学部分１０３ｂとに分かれている。図１で左側の第１光学部分１０３ａと第１内蔵装置部１０５ａとを組み合わせた第１表示機器１５１は、シースルーにて右眼用の虚像を表示する部分であり、単独でも表示機能の付いた電子機器として機能する。又、図１で右側の第２光学部分１０３ｂと第２内蔵装置部１０５ｂとを組み合わせた第２表示機器１５２は、シースルーにて左眼用の虚像を形成する部分であり、単独でも表示機能の付いた電子機器として機能する。第１表示機器１５１と第２表示機器１５２とには電気光学装置１０（図３参照）が組み込まれている。
【００３４】
「電子機器の内部構造」
図２は、本実施形態に係る電子機器の内部構造を説明する図である。図３は、本実施形態に係る電子機器の光学系を説明する図である。次に、図２と図３とを参照して電子機器の内部構造と光学系とを説明する。なお、図２と図３とでは第１表示機器１５１を電子機器の例として説明しているが、第２表示機器１５２に対しても左右対称で殆ど同じ構造をなしている。したがって、第１表示機器１５１について説明し、第２表示機器１５２の詳細な説明は省略する。
【００３５】
図２に示すように、第１表示機器１５１は、投射透視装置１７０と、電気光学装置１０（図３参照）とを備えている。投射透視装置１７０は、導光部材であるプリズム１１０と、光透過部材１５０と、結像用の投射レンズ１３０（図３参照）とを備える。プリズム１１０と光透過部材１５０とは接合によって一体化され、例えばプリズム１１０の上面１１０ｅとフレーム１６１の下面１６１ｅとが接するようにフレーム１６１の下側にしっかりと固定されている。
【００３６】
投射レンズ１３０は、これを収納する鏡筒１６２を介してプリズム１１０の端部に固定されている。投射透視装置１７０のうちプリズム１１０と光透過部材１５０とは、図１における第１光学部分１０３ａに相当し、投射透視装置１７０の投射レンズ１３０と、電気光学装置１０とは、図１における第１内蔵装置部１０５ａに相当する。
【００３７】
投射透視装置１７０のうち、プリズム１１０は、平面視において顔面に沿うように湾曲した円弧状の部材であり、鼻に近い中央側の第１プリズム部分１１１と、鼻から離れた周辺側の第２プリズム部分１１２とに分けて考えることができる。第１プリズム部分１１１は、光出射側に配置され、光学的な機能を有する側面として、第１面Ｓ１１（図３参照）と、第２面Ｓ１２と、第３面Ｓ１３とを有する。
【００３８】
第２プリズム部分１１２は、光入射側に配置され、光学的な機能を有する側面として、第４面Ｓ１４（図３参照）と、第５面Ｓ１５と、を有する。このうち、第１面Ｓ１１と第４面Ｓ１４とが隣接し、第３面Ｓ１３と第５面Ｓ１５とが隣接し、第１面Ｓ１１と第３面Ｓ１３との間に第２面Ｓ１２が配置されている。又、プリズム１１０は、第１面Ｓ１１から第４面Ｓ１４に隣接する上面１１０ｅを有する。
【００３９】
プリズム１１０は、可視域で高い光透過性を示す樹脂材料で形成されており、例えば型内に熱可塑性樹脂を注入し固化させることにより、成形する。プリズム１１０の本体部分１１０ｓ（図３参照）は、一体形成品とされているが、第１プリズム部分１１１と第２プリズム部分１１２とに分けて考えることができる。第１プリズム部分１１１は、映像光ＧＬの導波及び出射を可能にすると共に、外界光の透視を可能にする。第２プリズム部分１１２は、映像光ＧＬの入射及び導波を可能にする。
【００４０】
光透過部材１５０は、プリズム１１０と一体的に固定されている。光透過部材１５０は、プリズム１１０の透視機能を補助する部材（補助プリズム）である。光透過部材１５０は、可視域で高い光透過性を示し、プリズム１１０の本体部分１１０ｓと略同一の屈折率を有する樹脂材料で形成されている。光透過部材１５０は、例えば熱可塑性樹脂の成形によって形成される。
【００４１】
図３に示すように、投射レンズ１３０は、入射側光軸に沿って例えば３つのレンズ１３１，１３２，１３３を有している。各レンズ１３１，１３２，１３３は、レンズの光入射面の中心軸に回転対称なレンズであり、少なくとも１つ以上が非球面レンズとなっている。
【００４２】
投射レンズ１３０は、電気光学装置１０から出射された映像光ＧＬをプリズム１１０内に入射させて眼ＥＹに再結像させる。要するに、投射レンズ１３０は、電気光学装置１０の各画素から出射された映像光ＧＬを、プリズム１１０を介して眼ＥＹに再結像させるためのリレー光学系である。投射レンズ１３０は、鏡筒１６２内に保持され、電気光学装置１０は、鏡筒１６２の一端に固定されている。プリズム１１０の第２プリズム部分１１２は、投射レンズ１３０を保持する鏡筒１６２に連結され、投射レンズ１３０及び電気光学装置１０を間接的に支持している。
【００４３】
ヘッドマウントディスプレイ１００のように使用者の頭部に装着し眼前を覆うタイプの電子機器では、小型で軽量であることが求められる。また、ヘッドマウントディスプレイ１００のような電子機器に使用される電気光学装置１０では、高解像度化（画素の微細化）、表示の多階調化、低消費電力化が求められている。
【００４４】
［電気光学装置の構成］
次に、図４を参照して電気光学装置の構成を説明する。図４は、本実施形態に係る電気光学装置の構成を示す概略平面図である。本実施形態では、電気光学装置１０が、発光素子として有機ＥＬ素子を備える有機ＥＬ装置である場合を例に取り説明する。図４に示すように、本実施形態に係る電気光学装置１０は、素子基板１１と、保護基板１２とを有している。素子基板１１には、不図示のカラーフィルターが設けられている。素子基板１１と保護基板１２とは、不図示の充填剤を介して対向配置され接着されている。
【００４５】
素子基板１１は、例えば、単結晶半導体基板（例えば単結晶シリコン基板）で構成されている。素子基板１１は、表示領域Ｅと、表示領域Ｅを囲む非表示領域Ｄとを有している。表示領域Ｅには、例えば、青色（Ｂ）光が発せられるサブ画素５８Ｂと、緑色（Ｇ）光が発せられるサブ画素５８Ｇと、赤色（Ｒ）光が発せられるサブ画素５８Ｒとが、例えばマトリックス状に配列されている。サブ画素５８Ｂ、サブ画素５８Ｇ、サブ画素５８Ｒのそれぞれには、発光素子２０（図６参照）が設けられている。電気光学装置１０では、サブ画素５８Ｂ、サブ画素５８Ｇ、サブ画素５８Ｒを含む画素５９が表示単位となって、フルカラーの表示が提供される。
【００４６】
なお、本明細書では、サブ画素５８Ｂ、サブ画素５８Ｇ、及びサブ画素５８Ｒを区別せず、総称してサブ画素５８と称する場合がある。表示領域Ｅは、サブ画素５８から発せられる光が透過し、表示に寄与する領域である。非表示領域Ｄは、サブ画素５８から発せられる光が透過せず、表示に寄与しない領域である。
【００４７】
素子基板１１は、保護基板１２よりも大きく、保護基板１２からはみ出した素子基板１１の第１辺に沿って、複数の外部接続用端子１３が配列されている。複数の外部接続用端子１３と表示領域Ｅとの間には、信号線駆動回路５３が設けられている。該第１辺と直交する他の第２辺と表示領域Ｅとの間には、走査線駆動回路５２が設けられている。また、該第１辺と直交し第２辺と対向する第３辺と表示領域Ｅとの間には、制御線駆動回路５４が設けられている。
【００４８】
保護基板１２は、素子基板１１よりも小さく、外部接続用端子１３が露出されるように配置されている。保護基板１２は、光透過性の基板であり、例えば石英基板やガラス基板等を使用することができる。保護基板１２は、表示領域Ｅにおいて、サブ画素５８に配置された発光素子２０が損傷しないように保護する役割を有し、少なくとも表示領域Ｅに対向するように配置される。
【００４９】
なお、カラーフィルターは、素子基板１１における発光素子２０上に設けられていてもよいし、保護基板１２に設けられていてもよい。発光素子２０から各色に対応した光が発せられる構成の場合は、カラーフィルターは必須ではない。また、保護基板１２は必須ではなく、保護基板１２の代わりに、素子基板１１に発光素子２０を保護する保護層が設けられた構成であってもよい。
【００５０】
本明細書では、外部接続用端子１３が配列された上記第１辺に沿った方向をＸ方向（行方向）とし、該第１辺と直交し互いに対向する他の２辺（第２辺、第３辺）に沿った方向（列方向）をＹ方向とする。本実施形態では、例えば、同色の発光が得られるサブ画素５８が行方向（Ｘ方向）に配列され、異なる色の発光が得られるサブ画素５８が列方向（Ｙ方向）に配列される、所謂横ストライプ方式の配置が採用されている。
【００５１】
なお、列方向（Ｙ方向）におけるサブ画素５８の配置は、図４に示すようなＢ、Ｇ、Ｒの順であることに限定されず、例えば、Ｒ、Ｇ、Ｂの順であってもよい。また、サブ画素５８の配置は、ストライプ方式であることに限定されず、デルタ方式や、ベイヤー方式、Ｓストライプ方式等であってもよく、加えて、サブ画素５８Ｂ，５８Ｇ，５８Ｒの形状や大きさは同じであることに限定されない。
【００５２】
「電気光学装置の回路構成」
次に、図５を参照して、電気光学装置の回路構成を説明する。図５は、本実施形態に係る電気光学装置の回路ブロック図である。図５に示すように、電気光学装置１０の表示領域Ｅには、互いに交差する複数の第１行線としての第１走査線４２と複数の列線としての信号線４３とが形成され、第１走査線４２と信号線４３との各交差に対応してサブ画素５８が行列状に配列されている。各サブ画素５８には、発光素子２０（図８参照）等を含む要素回路としての画素回路４１が設けられている。
【００５３】
電気光学装置１０の表示領域Ｅには、各第１走査線４２に対応して、第２行線としての第２走査線４５が形成されている。又、表示領域Ｅには、各第１走査線４２に対応して、制御線４４が形成されている。第１走査線４２と第２走査線４５と制御線４４とは行方向（Ｘ方向）に延在している。信号線４３は、列方向（Ｙ方向）に延在している。
【００５４】
電気光学装置１０では、表示領域Ｅに、Ｍ行×Ｎ列のサブ画素５８が行列状に配置されている。具体的には、表示領域Ｅに、Ｍ本の第１走査線４２とＭ本の第２走査線４５とＭ本の制御線４４とＮ本の信号線４３とが形成されている。なお、ＭとＮとは２以上の整数であり、本実施形態では一例として、Ｍ＝７２０×ｐ、Ｎ＝１２８０とされている。ｐは、１以上の整数であり、表示の基本色の数を表す。本実施形態では、ｐ＝３、即ち、表示の基本色がＲ、Ｇ、Ｂの３色である場合を例に説明する。
【００５５】
電気光学装置１０は、表示領域Ｅ外に駆動部５０を有している。駆動部５０から、表示領域Ｅに配列された各画素回路４１に各種信号が供給され、画素５９（３色のサブ画素５８）を表示単位として画像が表示領域Ｅに表示される。駆動部５０は、駆動回路５１と制御装置５５とを含む。制御装置５５は、表示用信号を駆動回路５１に供給する。駆動回路５１は、表示用信号に基づき複数の第１走査線４２と複数の第２走査線４５と複数の信号線４３と複数の制御線４４とを介して各画素回路４１に駆動信号を供給する。
【００５６】
さらに、非表示領域Ｄ及び表示領域Ｅには、第１電位が供給される第１電位線としての高電位線４７と、第２電位が供給される第２電位線としての低電位線４６と、第３電位が供給される第３電位線としての高電位線４９と、が配置されている。各画素回路４１に対して、高電位線４７は第１電位を供給し、低電位線４６は第２電位を供給し、高電位線４９は第３電位を供給する。
【００５７】
本実施形態では、第１電位（Ｖ１）が第１高電位ＶＤＤ１（例えばＶ１＝ＶＤＤ１＝３．０Ｖ）であり、第２電位（Ｖ２）が低電位ＶＳＳ（例えばＶ２＝ＶＳＳ＝０Ｖ）であり、第３電位（Ｖ３）が第２高電位ＶＤＤ２（例えばＶ３＝ＶＤＤ２＝７．０Ｖ）である。したがって、第１電位は第２電位よりも高く、第３電位は第１電位よりも高い。
【００５８】
本実施形態では、第１電位（第１高電位ＶＤＤ１）と第２電位（低電位ＶＳＳ）とで低電圧系電源が構成され、第３電位（第２高電位ＶＤＤ２）と第２電位（低電位ＶＳＳ）とで高電圧系電源が構成される。第２電位は、低電圧系電源と高電圧系電源とにおいて基準となる電位である。
【００５９】
なお、本実施形態では一例として、第２電位線（低電位線４６）と第１電位線（高電位線４７）と第３電位線（高電位線４９）とが表示領域Ｅ内で行方向に延在しているが、これらは列方向に延在してもよいし、これらの一部が行方向に延在し他が列方向に延在してもよいし、これらが行列方向に格子状に配置されていてもよい。
【００６０】
駆動回路５１は、行線駆動回路としての走査線駆動回路５２と、信号線駆動回路５３と、制御線駆動回路５４とを含む。駆動回路５１は、非表示領域Ｄ（図４参照）に設けられている。本実施形態では、駆動回路５１と画素回路４１とは、図４に示す素子基板１１（本実施形態では、単結晶シリコン基板）上に形成されている。具体的には、駆動回路５１や画素回路４１は、単結晶シリコン基板に形成されたトランジスター等の素子で構成されている。
【００６１】
走査線駆動回路５２には、第１走査線４２と第２走査線４５とが電気的に接続されている。走査線駆動回路５２は、画素回路４１を行方向に選択又は非選択とする第１走査信号（Ｓｃａｎ）を各第１走査線４２に出力し、第１走査線４２はこの第１走査信号を画素回路４１に伝える。換言すると、第１走査信号は、第２トランジスター３２（図８参照）をオン状態とする選択状態と第２トランジスター３２をオフ状態とする非選択状態とを有しており、第１走査線４２は、走査線駆動回路５２からの第１走査信号を受けて、適宜、選択され得る。
【００６２】
後述するように、本実施形態では、第２トランジスター３２がＮ型であるので、選択状態における第１走査信号（第１信号としての選択信号）はＨｉｇｈ（高電位）であり、非選択状態における第１走査信号（非第１信号としての非選択信号）はＬｏｗ（低電位）である。選択信号の電位を第４電位（Ｖ４）とし、非選択信号の電位を第５電位（Ｖ５）とする。第４電位（Ｖ４）は、第１電位（Ｖ１）以上の高電位で設定され、第３電位（Ｖ３）であることが好ましい。又、第５電位（Ｖ５）は、第２電位（Ｖ２）以下の低電位で設定され、第２電位（Ｖ２）であることが好ましい。
【００６３】
走査線駆動回路５２は、画素回路４１を行方向に信号保持又は非信号保持とする第２走査信号（ＸＳｃａｎ）を各第２走査線４５に出力し、第２走査線４５はこの第２走査信号を画素回路４１に伝える。換言すると、第２走査信号は、第３トランジスター３３（図８参照）をオン状態とする第２信号としての保持信号と、第３トランジスター３３をオフ状態とする非第２信号としての非保持信号とを有している。第２走査線４５は、走査線駆動回路５２からのこれらの第２走査信号を受ける。走査線駆動回路５２は、選択信号と非保持信号とを同一期間に出力し得る。
【００６４】
後述するように、本実施形態では、第３トランジスター３３がＮ型であるので、信号保持状態における第２走査信号（保持信号）はＨｉｇｈ（高電位）であり、非信号保持状態における第２走査信号（非保持信号）はＬｏｗ（低電位）である。保持信号の電位を第６電位（Ｖ６）とし、非保持信号の電位を第７電位（Ｖ７）とする。第６電位（Ｖ６）は、第１電位（Ｖ１）以上の高電位で設定され、第３電位（Ｖ３）であることが好ましい。又、第７電位（Ｖ７）は、第２電位（Ｖ２）以下の低電位で設定され、第２電位（Ｖ２）であることが好ましい。
【００６５】
なお、Ｍ本の第１走査線４２のうちｉ行目の第１走査線４２に供給される第１走査信号を特定する際には、ｉ行目の第１走査信号Ｓｃａｎ  ｉと表記する。同様に、Ｍ本の第２走査線４５のうちｉ行目の第２走査線４５に供給される第２走査信号を特定する際には、ｉ行目の第２走査信号ＸＳｃａｎ  ｉと表記する。走査線駆動回路５２は後述するシフトレジスター回路を備えており、シフトレジスター回路をシフトする信号が、一段毎にシフト出力信号として出力される。このシフト出力信号を用いて、各第１走査線４２に供給される１行目の第１走査信号Ｓｃａｎ  １〜Ｍ行目の第１走査信号Ｓｃａｎ  Ｍと、各第２走査線４５に供給される１行目の第２走査信号ＸＳｃａｎ  １〜Ｍ行目の第２走査信号ＸＳｃａｎ  Ｍと、が形成される。これらの第１走査信号Ｓｃａｎ  ｉ及び第２走査信号ＸＳｃａｎ  ｉの形成方法については、後で詳述する。
【００６６】
信号線駆動回路５３には、信号線４３が電気的に接続されている。信号線駆動回路５３は、不図示のシフトレジスター回路、或いはデコーダー回路、或いはデマルチプレクサー回路等、を備えている。信号線駆動回路５３は、第１走査線４２の選択に同期して、Ｎ本の信号線４３の各々に画像信号（Ｄａｔａ）を供給する。画像信号は、第１電位（本実施形態ではＶＤＤ１）と第２電位（本実施形態ではＶＳＳ）とのいずれかの電位を取るデジタル信号である。なお、Ｎ本の信号線４３のうちｊ列目の信号線４３に供給される画像信号を特定する際には、ｊ列目の画像信号Ｄａｔａ  ｊと表記する。
【００６７】
制御線駆動回路５４には、制御線４４が電気的に接続されている。制御線駆動回路５４は、行毎に分けられた各制御線４４に、行固有の制御信号を出力する。制御線４４は、この制御信号を対応する行の画素回路４１に供給する。制御信号は、活性状態と非活性状態とを有しており、制御線４４は、制御線駆動回路５４からの制御信号を受けて、適宜活性状態とされ得る。制御信号は、第２電位（低電位ＶＳＳ）と第３電位（第２高電位ＶＤＤ２）との間の電位を取る。
【００６８】
後述するように、本実施形態では、第４トランジスター３４がＰ型である（図８参照）ので、活性状態における制御信号（活性信号）はＬｏｗ（低電位）であり、非活性状態における制御信号（非活性信号）はＨｉｇｈ（高電位）である。第１電位をＶ１と表記し、第２電位をＶ２と表記し、第３電位をＶ３と表記すると、活性信号は、Ｖ３−（Ｖ１−Ｖ２）以下で設定され、第２電位（Ｖ２）であることが好ましい。又、非活性信号は、第３電位（Ｖ３）以上で設定され、第３電位（Ｖ３）であることが好ましい。
【００６９】
なお、Ｍ本の制御線４４のうちｉ行目の制御線４４に供給される制御信号を特定する際には、ｉ行目の制御信号Ｅｎｂ  ｉと表記する。制御線駆動回路５４は、制御信号として、行毎に活性信号（又は非活性信号）を供給してもよいし、複数行同時に活性信号（又は非活性信号）を供給してもよい。本実施形態では、制御線駆動回路５４は、制御線４４を介して、表示領域Ｅに位置する全ての画素回路４１に同時に活性信号（又は非活性信号）を供給する。
【００７０】
制御装置５５は、表示用信号供給回路５６と、ＶＲＡＭ（Video Random Access Memory）回路５７とを含む。ＶＲＡＭ回路５７は、フレーム画像等を一時的に記憶する。表示用信号供給回路５６は、ＶＲＡＭ回路５７に一時的に記憶されたフレーム画像から表示用信号（画像信号やクロック信号等）を作成し、これを駆動回路５１に供給する。
【００７１】
本実施形態では、駆動回路５１や画素回路４１は素子基板１１（本実施形態では、単結晶シリコン基板）に形成されている。具体的には、駆動回路５１や画素回路４１は、単結晶シリコン基板に形成されたトランジスター素子で構成されている。
【００７２】
制御装置５５は、素子基板１１とは別の単結晶半導体基板等からなる基板（図示しない）に形成される半導体集積回路で構成されている。制御装置５５が形成された基板は、フレキシブルプリント基板（Flexible Printed Circuits：ＦＰＣ）により、素子基板１１に設けられた外部接続用端子１３に接続されている。このフレキシブルプリント基板を介して、制御装置５５から駆動回路５１に表示用信号が供給される。
【００７３】
「画素の構成」
次に、図６を参照して、本実施形態に係る画素の構成を説明する。図６は、本実施形態に係る画素の構成を説明する図である。
【００７４】
上述したように、電気光学装置１０では、サブ画素５８（サブ画素５８Ｂ，５８Ｇ，５８Ｒ）を含む画素５９を表示単位として画像が表示される。本実施形態では、サブ画素５８の行方向（Ｘ方向）の長さａは１２マイクロメーター（μｍ）であり、サブ画素５８の列方向（Ｙ方向）の長さｂは４マイクロメーター（μｍ）である。換言すると、サブ画素５８の行方向（Ｘ方向）における配置ピッチは１２マイクロメーター（μｍ）であり、サブ画素５８の列方向（Ｙ方向）における配置ピッチは４マイクロメーター（μｍ）である。
【００７５】
各サブ画素５８には、発光素子（Light Emitting Device：ＬＥＤ）２０を含む画素回路４１が設けられている。発光素子２０は、白色光を射出する。電気光学装置１０は、発光素子２０から射出された光が透過する不図示のカラーフィルターを備えている。カラーフィルターは、表示の基本色ｐに対応する色のカラーフィルターを含む。本実施形態では、基本色ｐ＝３であり、サブ画素５８Ｂ、サブ画素５８Ｇ、サブ画素５８Ｒのそれぞれに対応してＢ、Ｇ、Ｒの各色のカラーフィルターが配置される。
【００７６】
本実施形態では、発光素子２０の一例として、有機ＥＬ（Electro Luminescence）素子が用いられている。有機ＥＬ素子は、特定波長の光の強度を増幅する光共振構造を有していてもよい。即ち、サブ画素５８Ｂでは発光素子２０が発する白色光から青色の光成分を取り出し、サブ画素５８Ｇでは発光素子２０が発する白色光から緑色の光成分を取り出し、サブ画素５８Ｒでは発光素子２０が発する白色光から赤色の光成分を取り出す構成であってもよい。なお、本実施形態では、発光素子２０は白色光を発光し、不図示のカラーフィルターにより着色しているが、発光素子２０がＢ、Ｇ、Ｒの各色それぞれに対応する光を発光する構成としてもよい。
【００７７】
また、上述の例の他にも、基本色ｐ＝４として、カラーフィルターにＢ、Ｇ、Ｒ以外の色、例えば、白色光用のカラーフィルター（実質的にカラーフィルターがないサブ画素５８）を準備してもよいし、黄色やシアン等他の色光用のカラーフィルターを準備してもよい。さらに、発光素子２０として、窒化ガリウム（ＧａＮ）等の発光ダイオード素子や、半導体レーザー素子などを用いることとしてもよい。
【００７８】
「電気光学装置のデジタル駆動」
次に、図７を参照して、本実施形態に係る電気光学装置１０におけるデジタル駆動による画像表示方法を説明する。図７は、本実施形態に係る電気光学装置のデジタル駆動を説明する図である。
【００７９】
電気光学装置１０は、デジタル駆動により、表示領域Ｅ（図４参照）に所定の画像を表示する。即ち、各サブ画素５８に配置された発光素子２０（図６参照）は、発光（明表示）又は非発光（暗表示）の２値のいずれかの状態をとり、表示される画像の階調は各発光素子２０の発光期間の割合により決まる。これを時分割駆動と称する。
【００８０】
図７に示すように、時分割駆動では、一枚の画像を表示する１フィールド（Ｆ）を、複数のサブフィールド（ＳＦ）に分割し、サブフィールド（ＳＦ）毎に発光素子２０の発光と非発光とを制御することで階調表示を表現する。ここでは一例として、８ビットの時分割階調方式により、２8＝２５６階調の表示を行う場合を例として説明する。８ビットの時分割階調方式では、１個のフィールドＦを８個のサブフィールドＳＦ１〜ＳＦ８に分割する。
【００８１】
図７には、１個のフィールドＦにおいて、ｉ番目のサブフィールドをＳＦｉで表し、１番目のサブフィールドＳＦ１から８番目のサブフィールドＳＦ８までの８個のサブフィールドが示されている。各サブフィールドＳＦには、第２期間としての表示期間Ｐ２（Ｐ２−１〜Ｐ２−８）と、必要に応じて第１期間としての非表示期間（信号書き込み期間）Ｐ１（Ｐ１−１〜Ｐ１−８）とが含まれる。
【００８２】
なお、本明細書では、サブフィールドＳＦ１〜ＳＦ８を区別せず総称してサブフィールドＳＦと称し、非表示期間Ｐ１−１〜Ｐ１−８を区別せず総称して非表示期間Ｐ１と称し、表示期間Ｐ２−１〜Ｐ２−８を区別せず総称して表示期間Ｐ２と称する場合がある。
【００８３】
発光素子２０は、表示期間Ｐ２において発光又は非発光となり、非表示期間（信号書き込み期間）Ｐ１において非発光となる。非表示期間Ｐ１は、記憶回路６０（図８参照）への画像信号の書き込みや表示時間の調整等に使用され、最も短いサブフィールド（例えばＳＦ１）が比較的長い場合などは、非表示期間Ｐ１（Ｐ１−１）を省くこともできる。
【００８４】
８ビットの時分割階調方式では、各サブフィールドＳＦの表示期間Ｐ２（Ｐ２−１〜Ｐ２−８）を、（ＳＦ１のＰ２−１）：（ＳＦ２のＰ２−２）：（ＳＦ３のＰ２−３）：（ＳＦ４のＰ２−４）：（ＳＦ５のＰ２−５）：（ＳＦ６のＰ２−６）：（ＳＦ７のＰ２−７）：（ＳＦ８のＰ２−８）＝１：２：４：８：１６：３２：６４：１２８と設定する。例えば、フレーム周波数が６０Ｈｚのプログレッシブ方式で画像を表示する場合、１フレーム＝１フィールド（Ｆ）＝１６．７ミリ秒（ｍｓｅｃ）である。
【００８５】
本実施形態の場合、後述する様に、各サブフィールドＳＦでの非表示期間Ｐ１（Ｐ１−１〜Ｐ１−８）は１０．８マイクロ秒（μｓｅｃ）程度である。この場合、（ＳＦ１のＰ２−１）＝０．０６５ミリ秒、（ＳＦ２のＰ２−２）＝０．１３０ミリ秒、（ＳＦ３のＰ２−３）＝０．２６０ミリ秒、（ＳＦ４のＰ２−４）＝０．５２０ミリ秒、（ＳＦ５のＰ２−５）＝１．０４０ミリ秒、（ＳＦ６のＰ２−６）＝２．０８１ミリ秒、（ＳＦ７のＰ２−７）＝４．１６１ミリ秒、（ＳＦ８のＰ２−８）＝８．３２３ミリ秒、と設定される。
【００８６】
ここで、非表示期間Ｐ１の時間をｘ秒（ｓｅｃ）で表し、最も短い表示期間Ｐ２（上述の例の場合、１番目のサブフィールドＳＦ１における表示期間Ｐ２−１）の時間をｙ秒（ｓｅｃ）で表し、階調のビット数（＝サブフィールドＳＦの数）をｇで表し、フィールド周波数をｆ（Ｈｚ）で表すと、これらの関係は以下の数式１で示される。
【００８７】
【数１】
2019144295.tif 000003
【００８８】
本実施形態のデザインルールでは、第２インバーター６２が駆動回路５１にて使用される典型的なインバーターとなる。この場合、後に数式８を用いて詳述するが、第２インバーター６２の入力端子２８の充電時間τ2（インバーター１個当たりの遅延時間）は、τ2＝１．０５×１０-11秒（ｓｅｃ）程度であり、この時間が、駆動回路５１が備えるインバーター１個当たりの遅延時間に相当する。この結果、駆動回路５１が備えるシフトレジスター回路の最高動作周波数の逆数（最短時間）は、インバーター１個当たりの遅延時間を、おおよそ１１倍した１×１０-10秒程度となり、それ故、当該シフトレジスター回路の最高動作周波数は１０ＧＨｚ程度となる。一般に、回路が安定動作するのは最高動作周波数の半分以下であるが、マージンを考慮すると、駆動回路５１が備えるシフトレジスター回路の動作周波数は、２ＧＨｚ程度以下にすることが好ましい。
【００８９】
本実施例では、後で詳述するように、１本の第１走査線４２の選択時間を２０ピコ秒（ｐｉｃｏ  ｓｅｃ）程度まで短くすることができる。しかしながら、この程度まで選択時間を短くすると、信号線駆動回路５３が動作しないおそれがある。そこで、サブ画素５８が行方向（Ｘ方向）に配列される横ストライプ方式の配置を採用し、Ｍ行×Ｎ列をそれぞれ、Ｍ＝７２０×３＝２１６０とし、Ｎ＝１２８０とする。信号線駆動回路５３をｑ相展開（本実施形態ではｑ＝１２８で、一組当たり１２８本並列する）とすると、１本の第１走査線４２の選択時間内にＮ／ｑ＝１０組を選択することになる。従って、一組当たりの割り当て時間は、１本の第１走査線４２の選択時間の１／１０となる。
【００９０】
上述したシフトレジスター回路が安定動作する安定動作周波数の２ＧＨｚに相当する割り当て時間は、この逆数で０．５ナノ秒（ｎａｎｏ  ｓｅｃ）なので、これを先の一組に割り当てる。要するに、信号線駆動回路５３は２ＧＨｚのクロックで動作させる。この場合、１本の第１走査線４２の選択時間は５ナノ秒となり、走査線駆動回路５２の駆動周波数は２００ＭＨｚ程度である。又、全ての第１走査線４２を選択し終える一垂直期間は、５（ナノ秒）×７２０×３＝１０．８マイクロ秒であり、これが非表示期間Ｐ１となる。
【００９１】
電気光学装置１０のデジタル駆動では、１個のフィールドＦ内の総表示期間Ｐ２に対する発光期間の比に基づいて階調表示を実現する。例えば、階調「０」の黒表示では、８個のサブフィールドＳＦ１〜ＳＦ８の全ての表示期間Ｐ２−１〜Ｐ２−８で発光素子２０を非発光とする。一方、階調「２５５」の白表示では、８個のサブフィールドＳＦ１〜ＳＦ８の全ての表示期間Ｐ２−１〜Ｐ２−８で発光素子２０を発光とする。
【００９２】
又、２５６階調のうち、例えば階調「７」の中間輝度の表示を得る場合には、１番目のサブフィールドＳＦ１の表示期間Ｐ２−１と、２番目のサブフィールドＳＦ２の表示期間Ｐ２−２と、３番目のサブフィールドＳＦ３の表示期間Ｐ２−３とで発光素子２０を発光させ、その他のサブフィールドＳＦ４〜ＳＦ８の表示期間Ｐ２−４〜Ｐ２−８では発光素子２０を非発光とする。このように１個のフィールドＦを構成するサブフィールドＳＦ毎に、その表示期間Ｐ２に発光素子２０を発光させるか非発光とするかを適宜選択することで中間の階調の表示を行うことができる。
【００９３】
ところで、従来のアナログ駆動の電気光学装置（有機ＥＬ装置）では、駆動トランジスターのゲート電位に応じて有機ＥＬ素子に流れる電流をアナログ制御することにより階調表示が行われていたため、駆動トランジスターの電圧電流特性や閾値電圧のばらつきに起因して、画素間で明るさのばらつきや階調のずれが生じて表示品位が低下していた。これに対して、特許文献１に記載のように駆動トランジスターの電圧電流特性や閾値電圧のばらつきを補償する補償回路を設けると、補償回路にも電流が流れるため消費電力の増大を招いていた。
【００９４】
また、従来の有機ＥＬ装置では、表示を多階調化するためには、アナログ信号である画像信号を記憶する容量素子の電気容量を大きくする必要があるので、高解像度化（画素の微細化）との両立が困難であるとともに、大きな容量素子の充放電に伴い消費電力も増大していた。換言すると、従来の有機ＥＬ装置では、高解像度で多階調の高品位な画像を低消費電力で表示できる電気光学装置を実現することが困難であるという課題があった。
【００９５】
本実施形態に係る電気光学装置１０では、オン／オフの２値で動作するデジタル駆動であるため、発光素子２０は発光又は非発光の２値のいずれかの状態を取る。そのため、アナログ駆動の場合と比べて、トランジスターの電圧電流特性や閾値電圧のばらつきの影響を受け難くなるので、画素５９（サブ画素５８）で明るさのばらつきや階調のずれが少なく高品位な表示画像が得られる。さらに、デジタル駆動では、アナログ駆動の場合に求められる大きな容量の容量素子を保有する必要がないので、画素５９（サブ画素５８）の微細化が可能となり、高解像度化を容易に進めることができるとともに、大きな容量素子の充放電に伴う電力消費を低減できる。
【００９６】
又、電気光学装置１０のデジタル駆動では、１個のフィールドＦを構成するサブフィールドＳＦの数ｇを増やすことにより、容易に階調数を上げることができる。この場合、上述のように非表示期間Ｐ１を有すると、単純に最も短い表示期間Ｐ２を短くすることで階調数を上げることができる。例えば、フレーム周波数ｆ＝６０Ｈｚのプログレッシブ方式でｇ＝１０として１０２４階調の表示を行う場合、非表示期間Ｐ１の時間ｘ＝１０．８マイクロ秒の場合、数式１により、最も短い表示期間（ＳＦ１のＰ２−１）の時間ｙ＝０．０１６ミリ秒とするだけでよい。
【００９７】
後で詳述するが、電気光学装置１０のデジタル駆動では、第１期間としての非表示期間Ｐ１を記憶回路６０に画像信号を書き込む信号書き込み期間（又は画像信号を書き換える信号書き換え期間）とすることができる。そのため、信号書き込み期間を変えることなく（即ち、駆動回路５１のクロック周波数を変えることなく）、８ビットの階調表示から１０ビットの階調表示に簡単に変えることができる。
【００９８】
さらに、電気光学装置１０のデジタル駆動では、サブフィールドＳＦ間、又は、フィールドＦ間、で、表示を変えるサブ画素５８の記憶回路６０（図８参照）の画像信号が書き換えられる。一方、表示を変えないサブ画素５８の記憶回路６０の画像信号は書き換えられない（保持される）ので、低消費電力が実現する。即ち、本構成とすると、エネルギー消費を低減することや、画素５９（サブ画素５８）間での明るさのばらつきや階調のずれを低減することや、多階調化や、高解像度な画像を表示すること等が可能な電気光学装置１０を実現することができる。
【００９９】
（実施例１）
「画素回路の構成」
次に、図８を参照して、実施例１に係る画素回路の構成を説明する。図８は、実施例１に係る画素回路の構成を説明する図である。
【０１００】
図８に示すように、第１走査線４２と信号線４３との交差に対応して配置されたサブ画素５８毎に、画素回路４１が設けられている。第１走査線４２に沿って第２走査線４５と制御線４４とが配置されている。各画素回路４１に対して、第１走査線４２と第２走査線４５と信号線４３と制御線４４とが対応する。
【０１０１】
また、実施例１では、各画素回路４１に対して、高電位線４７から第１電位（ＶＤＤ１）が供給され、低電位線４６から第２電位（ＶＳＳ）が供給され、高電位線４９から第３電位（ＶＤＤ２）が供給される。
【０１０２】
実施例１に係る画素回路４１は、Ｎ型の第１トランジスター３１と、発光素子２０と、Ｐ型の第４トランジスター３４と、記憶回路６０と、Ｎ型の第２トランジスター３２とを含む。画素回路４１が記憶回路６０を含むので、電気光学装置１０はデジタル駆動が可能となる。この結果、アナログ駆動の場合と比べて、サブ画素５８間での発光素子２０の発光輝度のばらつきを抑えることが可能となり、画素５９間での表示のばらつきを低減できる。
【０１０３】
第１トランジスター３１と発光素子２０と第４トランジスター３４とは、第３電位線（高電位線４９）と第２電位線（低電位線４６）との間に直列に配置されている。記憶回路６０は、第１電位線（高電位線４７）と第２電位線（低電位線４６）との間に配置されている。第２トランジスター３２は、記憶回路６０と信号線４３との間に配置されている。
【０１０４】
記憶回路６０は、第１インバーター６１と、第２インバーター６２と、Ｎ型の第３トランジスター３３とを含む。記憶回路６０は、これら２つのインバーター６１，６２を環状に接続して構成され、所謂、スタティックメモリーを成して画像信号であるデジタル信号を記憶する。
【０１０５】
第１インバーター６１の出力端子２６と、第２インバーター６２の入力端子２８とが電気的に接続されている。第３トランジスター３３は、第２インバーター６２の出力端子２７と、第１インバーター６１の入力端子２５との間に配置されている。即ち、第３トランジスター３３のソースドレインの一方が第１インバーター６１の入力端子２５に電気的に接続され、他方が第２インバーター６２の出力端子２７に電気的に接続されている。
【０１０６】
なお、本明細書で端子（出力又は入力）Ａと端子（出力又は入力）Ｂとが電気的に接続されている状態とは、端子Ａの論理と端子Ｂの論理とが同じになり得る状態を言い、例えば、端子Ａと端子Ｂとの間にトランジスターや抵抗素子、ダイオードなどが配置されていても、電気的に接続されている状態と言える。また、「トランジスターや素子がＡとＢとの間に配置されている」と表記する場合の「配置」は、レイアウト上の配置ではなく、回路図上の配置である。
【０１０７】
記憶回路６０が記憶するデジタル信号は、Ｈｉｇｈ又はＬｏｗの２値である。実施例１では、第１インバーター６１の出力端子２６の電位がＬｏｗの場合（第２インバーター６２の出力端子２７の電位がＨｉｇｈの場合）に発光素子２０は発光し得る状態となり、第１インバーター６１の出力端子２６の電位がＨｉｇｈの場合（第２インバーター６２の出力端子２７の電位がＬｏｗの場合）に発光素子２０は非発光となる。
【０１０８】
実施例１では、記憶回路６０を構成する２つのインバーター６１，６２が第１電位線（高電位線４７）と第２電位線（低電位線４６）との間に配置され、２つのインバーター６１，６２に第１電位としてのＶＤＤ１と第２電位としてのＶＳＳとが供給される。したがって、Ｈｉｇｈは第１電位（ＶＤＤ１）に相当し、Ｌｏｗは第２電位（ＶＳＳ）に相当する。
【０１０９】
例えば、記憶回路６０にデジタル信号が記憶されて、第１インバーター６１の出力端子２６の電位がＬｏｗになると、第２インバーター６２の入力端子２８にＬｏｗが入力されて第２インバーター６２の出力端子２７の電位がＨｉｇｈとなる。そして、第３トランジスター３３がオン状態のとき、第２インバーター６２の出力端子２７の電位がＨｉｇｈであると、第２インバーター６２の出力端子２７から第１インバーター６１の入力端子２５にＨｉｇｈが入力されて第１インバーター６１の出力端子２６の電位がＬｏｗとなる。このようにして、第３トランジスター３３がオン状態のとき、記憶回路６０に記憶されたデジタル信号は、次に書き換えが行われるまで安定した状態で保持される。
【０１１０】
第１インバーター６１は、Ｐ型の第５トランジスター３５とＮ型の第７トランジスター３７と、を含み、ＣＭＯＳ構成である。第５トランジスター３５と第７トランジスター３７とは、第１電位線（高電位線４７）と第２電位線（低電位線４６）との間に直列に配置されている。第７トランジスター３７のソースは、第２電位線（低電位線４６）に電気的に接続されている。第５トランジスター３５のソースは、第１電位線（高電位線４７）に電気的に接続されている。
【０１１１】
第２インバーター６２は、Ｐ型の第６トランジスター３６と、Ｎ型の第８トランジスター３８とを含み、ＣＭＯＳ構成である。第６トランジスター３６と第８トランジスター３８とは、第１電位線（高電位線４７）と第２電位線（低電位線４６）との間に直列に配置されている。第６トランジスター３６のソースは、第１電位線（高電位線４７）に電気的に接続されている。第８トランジスター３８のソースは、第２電位線（低電位線４６）に電気的に接続されている。
【０１１２】
なお、Ｎ型トランジスターでは、ソース電位とドレイン電位とを比較して電位の低い方がソースである。又、Ｐ型トランジスターでは、ソース電位とドレイン電位とを比較して電位の高い方がソースである。
【０１１３】
第１インバーター６１の入力端子２５は、第５トランジスター３５及び第７トランジスター３７のゲートであり、第３トランジスター３３のソースドレインの一方に電気的に接続されている。第１インバーター６１の出力端子２６は、第５トランジスター３５及び第７トランジスター３７のドレインであり、第２インバーター６２の入力端子２８に電気的に接続されている。
【０１１４】
第２インバーター６２の出力端子２７は、第６トランジスター３６及び第８トランジスター３８のドレインであり、第３トランジスター３３のソースドレインの他方に電気的に接続されている。第２インバーター６２の入力端子２８は第６トランジスター３６及び第８トランジスター３８のゲートであり、第１インバーター６１の出力端子２６に電気的に接続されている。
【０１１５】
なお、実施例１では、第１インバーター６１と第２インバーター６２とが共にＣＭＯＳ構成であることとしたが、これらのインバーター６１，６２がトランジスターと抵抗素子とから構成されていてもよい。例えば、第１インバーター６１において第５トランジスター３５及び第７トランジスター３７の一方を抵抗素子で置き換えてもよいし、第２インバーター６２において第６トランジスター３６及び第８トランジスター３８の一方を抵抗素子で置き換えてもよい。
【０１１６】
発光素子２０は、実施例１では有機ＥＬ素子であり、陽極（画素電極）２１と発光部（発光機能層）２２と陰極（対向電極）２３とを含む。発光部２２は、陽極２１側から注入された正孔と陰極２３側から注入された電子とにより励起子が形成され、励起子が消滅する際（正孔と電子とが再結合する際）にエネルギーの一部が蛍光や燐光となって放出されることにより発光が得られるように構成されている。
【０１１７】
実施例１に係る画素回路４１では、発光素子２０は、第１トランジスター３１と第４トランジスター３４との間に配置されている。発光素子２０の陽極２１は第４トランジスター３４のドレインに電気的に接続され、発光素子２０の陰極２３は第１トランジスター３１のドレインに電気的に接続されている。
【０１１８】
第１トランジスター３１は、発光素子２０に対する駆動トランジスターである。即ち、第１トランジスター３１がオン状態となった際に、発光素子２０は発光し得る。第１トランジスター３１のゲートは、記憶回路６０の第２インバーター６２の出力端子２７に電気的に接続されている。第１トランジスター３１のソースは、第２電位線（低電位線４６）に電気的に接続されている。第１トランジスター３１のドレインは、発光素子２０（陰極２３）に電気的に接続されている。即ち、Ｎ型の第１トランジスター３１は、発光素子２０に対して低電位側に配置されている。
【０１１９】
第４トランジスター３４は、発光素子２０の発光を制御する制御トランジスターである。第４トランジスター３４がオン状態となった際に、発光素子２０は発光し得る。後述するが、実施例１では、制御線４４に制御信号として活性信号が供給されて第４トランジスター３４がオン状態となり、第２インバーター６２の出力端子２７が発光に相当する電位となって第１トランジスター３１がオン状態になると、発光素子２０は発光する。
【０１２０】
第４トランジスター３４のゲートは、制御線４４に電気的に接続されている。第４トランジスター３４のソースは、第３電位線（高電位線４９）に電気的に接続されている。第４トランジスター３４のドレインは、発光素子２０（陽極２１）に電気的に接続されている。即ち、Ｐ型の第４トランジスター３４は、発光素子２０に対して高電位側に配置されている。
【０１２１】
ここで、Ｎ型トランジスターは発光素子２０よりも低電位側に配置され、Ｐ型トランジスターは発光素子２０よりも高電位側に配置される。発光素子２０に対してＮ型の第１トランジスター３１とＰ型の第４トランジスター３４とをこのように配置することで、両トランジスター３１，３４をほぼ線形に動作させる（以下では、単に線形動作させるという）ことが可能となる。したがって、第１トランジスター３１や第４トランジスター３４の閾値電圧のばらつきが表示特性（発光素子２０の発光輝度）に影響しないようにすることができる。
【０１２２】
そして、第１トランジスター３１のソースが第２電位線（低電位線４６）に電気的に接続され、第４トランジスター３４のソースが、第３電位線（高電位線４９）に電気的に接続されているので、第１トランジスター３１のソース電位が第２電位に固定され、第４トランジスター３４のソース電位が第３電位に固定される。これにより、第１トランジスター３１や第４トランジスター３４のソースドレイン電圧が小さくとも、オン状態における第１トランジスター３１や第４トランジスター３４の電気伝導度を大きくすることができる。この結果、第３電位（ＶＤＤ２）と第２電位（ＶＳＳ）との電位差の大半が発光素子２０にかかることになるので、第１トランジスター３１や第４トランジスター３４の閾値電圧のばらつきの影響を受け難くなり、画素５９（サブ画素５８）間での発光素子２０の発光輝度の均一性を向上することができる。
【０１２３】
第２トランジスター３２は、記憶回路６０と信号線４３との間に配置されている。Ｎ型の第２トランジスター３２のソースドレインの一方は信号線４３に電気的に接続され、他方は第１インバーター６１の入力端子２５、即ち第５トランジスター３５及び第７トランジスター３７のゲートに電気的に接続されている。第２トランジスター３２のゲートは、第１走査線４２に電気的に接続されている。
【０１２４】
第２トランジスター３２は、画素回路４１に対する選択トランジスターである。第２トランジスター３２は、第１走査線４２に供給される第１走査信号（選択信号又は非選択信号）に応じて、オン状態とオフ状態とを切り換える。第２トランジスター３２がオン状態となると、信号線４３と記憶回路６０の第１インバーター６１の入力端子２５とが導通状態となり、信号線４３から供給される画像信号が記憶回路６０に書き込まれる。
【０１２５】
第３トランジスター３３は、第１インバーター６１の入力端子２５と、第２インバーター６２の出力端子２７との間に配置されている。Ｎ型の第３トランジスター３３のソースドレインの一方は第１インバーター６１の入力端子２５（第５トランジスター３５及び第７トランジスター３７のゲート）に電気的に接続され、他方は第２インバーター６２の出力端子２７（第６トランジスター３６及び第８トランジスター３８のドレイン）に電気的に接続されている。第３トランジスター３３のゲートは、第２走査線４５に電気的に接続されている。
【０１２６】
第３トランジスター３３は、第２走査線４５に供給される第２走査信号（保持信号又は非保持信号）に応じて、オン状態とオフ状態とを切り換える。第３トランジスター３３がオン状態になると、第２インバーター６２の出力端子２７と第１インバーター６１の入力端子２５とが導通状態となり、記憶回路６０に書き込まれた画像信号が第１インバーター６１と第２インバーター６２との間で保持される。
【０１２７】
第２トランジスター３２と第３トランジスター３３とは、同一導電型（Ｎ型）である。第２トランジスター３２と第３トランジスター３３とは、第１走査線４２に供給される第１走査信号と第２走査線４５に供給される第２走査信号とに応じて、互いにほぼ相補的な動作をする。互いに相補的とは、第２トランジスター３２がオン状態であるときに第３トランジスター３３はオフ状態であり、第２トランジスター３２がオフ状態であるときに第３トランジスター３３はオン状態である。互いにほぼ相補的とは、第３トランジスター３３は、第２トランジスター３２がオフ状態からオン状態に変わる際に既にオフ状態となっているか、または、第２トランジスター３２がオフ状態からオン状態に変わる際にオン状態からオフ状態に変わるか、を含む。換言すると、第２トランジスター３２がオン状態となる際に、第３トランジスター３３はオン状態にはない場合も含む。
【０１２８】
実施例１に係る画素回路４１において、第２トランジスター３２と第３トランジスター３３と第４トランジスター３４とを制御して、記憶回路６０に対する画像信号の書き込み（又は書き換え）と発光素子２０の発光及び非発光とを行う方法を以下に説明する。
【０１２９】
実施例１では、各画素回路４１に対して、第１走査線４２と第２走査線４５と制御線４４とが互いに独立しているので、第２トランジスター３２と第３トランジスター３３と第４トランジスター３４とは互いに独立した状態で動作する。そして、第２トランジスター３２と第３トランジスター３３とが、互いにほぼ相補的な動作をする。その結果、第２トランジスター３２がオン状態となる際に、第３トランジスター３３はオン状態にはないこととすることができる。また、第２トランジスター３２がオン状態となる際に、必ず第４トランジスター３４をオフ状態としていることができる。
【０１３０】
記憶回路６０に画像信号を書き込む（又は書き換える）際は、非活性信号により第４トランジスター３４をオフ状態とする。選択信号により第２トランジスター３２がオン状態になると、記憶回路６０（第１インバーター６１及び第２インバーター６２）に画像信号が供給される。画像信号は、信号線４３から第１インバーター６１へ、そして第１インバーター６１から第２インバーター６２へと書き込まれる。
【０１３１】
第２走査信号の非保持信号により第３トランジスター３３は、第２トランジスター３２がオフ状態からオン状態に変わる際に既にオフ状態となっているか、または、第２トランジスター３２がオフ状態からオン状態に変わる際にオン状態からオフ状態に変わる。従って、第２トランジスター３２がオン状態となる際には、第３トランジスター３３はオン状態にないため、第２インバーター６２の出力端子２７と第１インバーター６１の入力端子２５との間の電気的な接続は遮断されている。
【０１３２】
ここで、仮に第３トランジスター３３が存在せず、第２インバーター６２の出力端子２７と第１インバーター６１の入力端子２５とが常に電気的に接続されている場合を想定する。第１インバーター６１の入力端子２５をＬｏｗ（ＶＳＳ）からＨｉｇｈ（ＶＤＤ１）に書き換える際には、Ｈｉｇｈの信号が供給される前は、第１インバーター６１の入力端子２５の電位がＬｏｗ、即ち第２インバーター６２の入力端子２８の電位がＨｉｇｈで、第８トランジスター３８はオン状態となっている。そのため、第２トランジスター３２がオン状態となり、信号線４３からＨｉｇｈ（ＶＤＤ１）の信号が供給されると、信号線４３（ＶＤＤ１）から第２トランジスター３２と第８トランジスター３８とを経て低電位線４６（ＶＳＳ）に至る経路が導通状態になるので、入力端子２５の電位のＬｏｗからＨｉｇｈへの書き換えに時間がかかったり、書き換えができなかったりする不具合が生じることとなる。
【０１３３】
また、仮に第３トランジスター３３が存在しない場合、第１インバーター６１の入力端子２５をＨｉｇｈ（ＶＤＤ１）からＬｏｗ（ＶＳＳ）に書き換える際には、Ｌｏｗの信号が供給される前は第２インバーター６２の入力端子２８の電位がＬｏｗで第６トランジスター３６がオン状態となっている。そのため、第２トランジスター３２がオン状態となり、信号線４３からＬｏｗ（ＶＳＳ）の信号が供給されると、高電位線４７（ＶＤＤ１）から第６トランジスター３６と第２トランジスター３２とを経て信号線４３（ＶＳＳ）に至る経路が導通状態になるので、入力端子２５の電位のＨｉｇｈからＬｏｗへの書き換えに時間がかかったり、書き換えができなかったりする不具合が生じることとなる。
【０１３４】
実施例１では、第２トランジスター３２をオン状態として記憶回路６０に画像信号を書き込む（又は書き換える）際には、第１インバーター６１の入力端子２５と第２インバーター６２の出力端子２７との間に配置された第３トランジスター３３はオフ状態であり、入力端子２５と出力端子２７との電気的な接続が遮断されるので、上記のような不具合を抑止できる。
【０１３５】
また、第２トランジスター３２がオン状態であるときには、第４トランジスター３４はオフ状態であるため、記憶回路６０に画像信号を書き込んでいる間は、発光素子２０は発光しない。要するに、第３電位線（高電位線４９）から発光素子２０と第１トランジスター３１とを介して第２電位線（低電位線４６）に至る経路が第４トランジスター３４によって遮断されている。これにより、記憶回路６０への画像信号の書き込み（又は書き換え）を行う際には発光素子２０は発光を停止しているので、この期間における発光素子２０の発光の影響を回避でき、ＳＦ１の表示期間Ｐ２−１を極短期間としても正確な階調を表現することができる。
【０１３６】
なお、記憶回路６０に画像信号を書き込む（又は書き換える）際は、信号線４３から第１インバーター６１へ画像信号を書き込み、その画像信号の反転信号（相補信号）を第１インバーター６１から第２インバーター６２へ書き込む。そのため、信号線４３から第１インバーター６１へ画像信号を書き込むのと並行して、信号線４３に供給される信号の相補的な画像信号（相補信号）を相補信号線から第２インバーター６２へ書き込む場合と比べて、相補信号を供給する相補信号線や第２トランジスター３２に対する相補トランジスターを必要としない。そのため、相補信号線や相補トランジスターを有する構成と比べて、画素５９を微細化して高解像度化することが容易となり、かつ、配線数を増やす必要がないので製造歩留まりを向上できる。更に、後に詳述する様に、実施例１の構成では、信号線４３から第１インバーター６１へ画像信号を書き込むのと並行して、信号線４３に供給される信号の相補的な画像信号（相補信号）を相補信号線から第２インバーター６２へ書き込む場合と比べて、画像信号を書き込む際に信号線４３から電源線（高電位線４７や低電位線４６）への電流経路が存在しないので、低消費電力で高速に画像信号を書き換えることができる。
【０１３７】
非選択信号により第２トランジスター３２がオン状態からオフ状態になると、記憶回路６０への画像信号を書き込み（又は書き換え）が停止する。第２走査信号により第３トランジスター３３は、第２トランジスター３２がオン状態からオフ状態に変わる際に既にオン状態となっているか、または、第２トランジスター３２がオン状態からオフ状態に変わる際にオフ状態からオン状態に変わる。
【０１３８】
これにより、第２インバーター６２の出力端子２７と第１インバーター６１の入力端子２５とが電気的に接続されて、記憶回路６０に書き込まれた画像信号が、第１インバーター６１と第２インバーター６２との間で保持される。第４トランジスター３４は、活性信号が供給されるまではオフ状態のままであり、発光素子２０は発光しない。第２走査線４５には次のサブフィールドの非保持信号が入るまでは保持信号が供給されるので、記憶回路６０に記憶された画像信号を、誤って書き換えられてしまうことなく安定した状態で保持できる。
【０１３９】
然る後に、発光素子２０を発光させる際は、第２トランジスター３２をオフ状態（第３トランジスター３３をオン状態）としたまま、活性信号により第４トランジスター３４をオン状態にする。この際に、記憶回路６０に記憶された画像信号により、第１トランジスター３１がオン状態であると、第３電位線（高電位線４９）から第４トランジスター３４と発光素子２０と第１トランジスター３１とを介して第２電位線（低電位線４６）に至る経路に電流が流れて発光素子２０が発光する。
【０１４０】
第４トランジスター３４がオン状態であるときには、第２トランジスター３２がオフ状態であり第３トランジスター３３がオン状態であるため、発光素子２０を発光させている間も、記憶回路６０に記憶された画像信号が保持され書き換えられることはない。これにより、誤表示の無い高品位な画像表示を実現することができる。
【０１４１】
「各電位とトランジスターの閾値電圧との関係」
上述したように、本実施形態では、第１電位（ＶＤＤ１）と第２電位（ＶＳＳ）とで低電圧系電源が構成され、第３電位（ＶＤＤ２）と第２電位（ＶＳＳ）とで高電圧系電源が構成される。このような構成とすることで、高速で動作し明るい表示が得られる電気光学装置１０を実現している。以下にこの点を説明する。
【０１４２】
以下の説明では、第１電位をＶ１と表記し、第２電位をＶ２と表記し、第３電位をＶ３と表記する。本実施形態では、低電圧系電源の電圧である第２電位（一例として、Ｖ２＝０Ｖ）に対する第１電位（一例として、Ｖ１＝３．０Ｖ）の電位差（Ｖ１−Ｖ２＝３．０Ｖ）は、高電圧系電源の電圧である第２電位（Ｖ２＝０Ｖ）に対する第３電位（一例として、Ｖ３＝７．０Ｖ）の電位差（Ｖ３−Ｖ２＝７．０Ｖ）よりも小さい（Ｖ１−Ｖ２＜Ｖ３−Ｖ２）。
【０１４３】
各電位を上記のように設定すると、第１電位と第２電位とが供給される低電圧系電源で駆動回路５１や記憶回路６０を動作させることとなるので、駆動回路５１や記憶回路６０を構成するトランジスターを微細化して高速動作させることができる。一方、第３電位と第２電位とが供給される高電圧系電源で発光素子２０を発光させるので、発光素子２０の発光輝度を高めることができる。即ち、本実施形態の構成とすることで、各回路が高速で動作するとともに、発光素子２０が高い輝度で発光して明るい表示が得られる電気光学装置１０を実現することができる。
【０１４４】
一般に、有機ＥＬ素子のような発光素子では、発光素子を発光させるために比較的高い電圧（例えば、５Ｖ以上）が必要となる。しかしながら、半導体装置では、電源電圧を上げると、誤動作防止の為にトランジスターのサイズ（ゲート長Ｌやゲート幅Ｗ）を大きくせざるを得ないので、回路の動作は遅くなる。一方、回路を高速で動作させるために電源電圧を下げると、発光素子の発光輝度の低下を招く。要するに、従来のように発光素子を発光させる電源電圧と回路を動作させる電源電圧とが同じ構成では、発光素子の高い輝度での発光と回路の高速動作とを両立することが困難であった。
【０１４５】
これに対して、本実施形態では、電気光学装置１０の電源として低電圧系電源と高電圧系電源とを有しており、駆動回路５１や記憶回路６０を動作させる電源を低電圧系電源とする。これにより、駆動回路５１や記憶回路６０を構成する各トランジスターのサイズをＬ＝０．５マイクロメーター（μｍ）程度とし、第１トランジスター３１や第４トランジスター３４のＬ＝０．７５マイクロメーター（μｍ）程度よりも小さくして、これらの回路をＶ１−Ｖ２＝３．０Ｖの低電圧で駆動するので、駆動回路５１や記憶回路６０を高速で動作させることができる。
【０１４６】
そして、高電圧系電源により発光素子２０をＶ３−Ｖ２＝７．０Ｖの高電圧で発光させるので、発光素子２０を高い輝度で発光させることができる。さらに、後述するように、発光素子２０と直列に配置される第１トランジスター３１や第４トランジスター３４を線形動作させることで、発光素子２０に対してＶ３−Ｖ２＝７．０Ｖの高電圧の殆どを印加することができるので、発光素子２０が発光する際の輝度をより高めることができる。
【０１４７】
本実施形態では、駆動トランジスターであるＮ型の第１トランジスター３１の閾値電圧（Ｖth1）は正（０＜Ｖth1）である。記憶回路６０に記憶された画像信号が非発光に相当する際には、記憶回路６０の出力端子２７の電位はＬｏｗ、即ち第２電位（Ｖ２）である。第１トランジスター３１のソースは第２電位線（低電位線４６）に接続されているため、第１トランジスター３１のソース電位とゲート電位とがともに第２電位（Ｖ２）となるので、第１トランジスター３１のゲートソース電圧Ｖgs1は０Ｖとなる。
【０１４８】
したがって、第１トランジスター３１の閾値電圧Ｖth1（一例としてＶth1＝０．３６Ｖ）が正（０＜Ｖth1）であると、Ｎ型の第１トランジスター３１のゲートソース電圧Ｖgs1が閾値電圧Ｖth1よりも小さくなるので、第１トランジスター３１はオフ状態となる。これにより、画像信号が非発光の際に、第１トランジスター３１を確実にオフ状態とすることができる。
【０１４９】
そして、本実施形態では、第２電位（Ｖ２）を基準とした第１電位（Ｖ１）の電位差は、第１トランジスター３１の閾値電圧Ｖth1よりも大きい（Ｖth1＜Ｖ１−Ｖ２）。記憶回路６０に記憶された画像信号が発光に相当する際には、記憶回路６０の出力端子２７の電位はＨｉｇｈである。Ｈｉｇｈは第１電位（Ｖ１）であるので、第１トランジスター３１のゲートソース電圧Ｖgs1は、第２電位（Ｖ２）に対する第１電位（Ｖ１）の電位差（Ｖgs1＝Ｖ１−Ｖ２＝３．０Ｖ−０Ｖ＝３．０Ｖ）となる。
【０１５０】
第２電位（Ｖ２）に対する第１電位（Ｖ１）の電位差（Ｖ１−Ｖ２＝３．０Ｖ）が第１トランジスター３１の閾値電圧Ｖth1（Ｖth1＝０．３６Ｖ）よりも大きい（Ｖth1＜Ｖ１−Ｖ２）と、記憶回路６０の出力端子２７の電位がＨｉｇｈであるときに、Ｎ型の第１トランジスター３１のゲートソース電圧Ｖgs1が閾値電圧Ｖth1よりも大きくなるので、第１トランジスター３１はオン状態となる。したがって、画像信号が発光の際に、第１トランジスター３１を確実にオン状態とすることができる。
【０１５１】
低電圧系電源を構成する第１電位（ＶＤＤ１）と第２電位（ＶＳＳ）とに対し、高電圧系電源を構成する第３電位（ＶＤＤ２）を第１電位（ＶＤＤ１）よりも高電位とする（本実施例）か、第２電位（ＶＳＳ）よりも低電位とする（例えばＶＳＳよりもさらに低電位のＶＳＳ２とする）か、は第１トランジスター３１の極性に応じて定める。具体的には、第１トランジスター３１がＮ型の場合、第３電位は本実施例のようにＶＤＤ１よりも高電位のＶＤＤ２とする。
【０１５２】
反対に、図示を省略するが、第１トランジスター３１がＰ型の場合、第１トランジスター３１は発光素子２０と第４トランジスター３４との間、もしくは第４トランジスター３４と第３電位である高電位線４９との間に配置される。この場合、第１電位がＶＳＳ１となり、第２電位がＶＤＤとなり、第３電位がＶＳＳ２となる。第３電位のＶＳＳ２は、第１電位のＶＳＳ１よりも低電位である。Ｐ型の第１トランジスター３１では、ソースが電気的に接続される第２電位（ＶＤＤ）が低電圧系電源と共用され、ドレイン側の電源は第３電位（ＶＳＳ２）となる。
【０１５３】
本実施形態に記載した構成では、第１トランジスター３１のソース電位が低電圧系電源であるために、第１トランジスター３１は、記憶回路６０を構成する同一導電型のトランジスター（本実施例の場合は第７トランジスター３７や第８トランジスター３８、第１トランジスター３１がＰ型の場合は第５トランジスター３５や第６トランジスター３６）と同様に第１電位と第２電位とでオン／オフのスイッチング動作を行うことができる。これに対して、第１トランジスター３１でドレインが低電圧系電源と共用され、ソース電位が記憶回路６０を構成する同一導電型のトランジスターと異なる場合、第１トランジスター３１は常時オン状態となり、スイッチング動作しない不具合が発生し得る。この様な不具合を回避し、第１トランジスター３１が正常なスイッチング動作をするには、第１トランジスター３１がＮ型の場合には第３電位をＶＤＤ１よりも高電位のＶＤＤ２とし、第１トランジスター３１がＰ型の場合には第３電位をＶＳＳ１よりも低電位のＶＳＳ２とする。
【０１５４】
制御トランジスターである第４トランジスター３４は、ゲートに電気的に接続された制御線４４から制御信号として、非活性信号が供給されるとオフ状態となり、活性信号が供給されるとオン状態となる。実施例１では、第４トランジスター３４がＰ型であるため、上述したように、非活性信号は、第３電位（Ｖ３）以上の高電位で設定され、第３電位（Ｖ３）であることが好ましい。又、活性信号は、Ｖ３−（Ｖ１−Ｖ２）以下の低電位で設定され、第２電位（Ｖ２）であることが好ましい。
【０１５５】
第４トランジスター３４のゲートに制御線４４から第３電位（Ｖ３）の非活性信号が供給されると、第４トランジスター３４のソース電位とゲート電位とがともに第３電位（Ｖ３）となるので、第４トランジスター３４のゲートソース電圧Ｖgs4は０Ｖとなる。Ｐ型の第４トランジスター３４の閾値電圧Ｖth4（一例としてＶth4＝−０．３６Ｖ）とすると、第４トランジスター３４のゲートソース電圧Ｖgs4が閾値電圧Ｖth4よりも大きくなるので、第４トランジスター３４はオフ状態となる。したがって、制御信号が非活性信号の際に、第４トランジスター３４を確実にオフ状態とすることができる。
【０１５６】
制御線４４から、Ｖ３−（Ｖ１−Ｖ２）以下、即ち７．０Ｖ−（３．０Ｖ−０Ｖ）＝４．０Ｖ以下の電位の活性信号が供給されると、第４トランジスター３４のゲートソース電圧Ｖgs4は、４．０−７．０Ｖ＝−３．０Ｖ以下となる。したがって、第４トランジスター３４のゲートソース電圧Ｖgs4が閾値電圧Ｖth4よりも十分小さくなるので、制御信号が活性信号の際に、第４トランジスター３４を確実にオン状態とすることができる。
【０１５７】
そして、活性信号の電位を低くするほど、第４トランジスター３４のゲートソース電圧Ｖgs4は大きくなる。活性信号の電位を第２電位（Ｖ２）とすれば、第４トランジスター３４のゲートソース電圧Ｖgs4は、０Ｖ−７．０Ｖ＝−７．０Ｖとなり、オン状態における第４トランジスター３４のオン抵抗が低くなるので、発光素子２０を発光させる際に第４トランジスター３４の閾値電圧のばらつきの影響を受けにくくなる。
【０１５８】
既存の３つの電位（第１電位と第２電位と第３電位と）のうちで、最も高い第３電位（Ｖ３）を非活性信号の電位とし、最も低い第２電位（Ｖ２）を活性信号の電位とすることで、新たな電位（電位線）を設けることなく非活性信号及び活性信号の電位を設定できる。そして、活性信号により第４トランジスター３４のゲートソース電圧の絶対値を十分に大きくできるので、オン状態における第４トランジスター３４のオン抵抗を十分に低くして、第４トランジスター３４の閾値電圧のばらつきが発光素子の発光輝度に及ぼす影響を殆どなくすことができる。
【０１５９】
即ち、本実施形態の構成とすることで、低電圧系電源と高電圧系電源との２種類の電気系統を用いても、発光素子２０を非発光とすべきときに第１トランジスター３１と第４トランジスター３４とをオフ状態にして確実に非発光とし、発光素子２０を発光とすべきときに第１トランジスター３１と第４トランジスター３４とをオン状態にして確実に発光とすることができる。
【０１６０】
また、選択トランジスターである第２トランジスター３２は、ゲートに電気的に接続された第１走査線４２から第１走査信号として、非選択信号が供給されるとオフ状態となり、選択信号が供給されるとオン状態となる。本実施形態では、第２トランジスター３２がＮ型であるため、上述したように、非選択信号の電位である第５電位（Ｖ５）は、第２電位（Ｖ２）以下の低電位で設定され、第２電位（Ｖ２）であることが好ましい。又、選択信号の電位である第４電位（Ｖ４）は、第１電位（Ｖ１）以上の高電位で設定され、第３電位（Ｖ３）であることが好ましい。
【０１６１】
第１トランジスター３１と第２トランジスター３２とは、同一極性であることが好ましい。実施例１では、第１トランジスター３１も第２トランジスター３２もＮ型である。したがって、第１トランジスター３１はゲートに供給される画像信号の電位がＨｉｇｈのときオン状態となり、第２トランジスター３２はゲートに供給される第１走査信号が選択信号（Ｈｉｇｈ）のときオン状態となる。第１トランジスター３１がＮ型であるので、前述の如く、本実施例では、第３電位（Ｖ３）は第１電位（ＶＤＤ１）よりも高電位のＶＤＤ２となる。画像信号のＨｉｇｈは第１電位（Ｖ１）であるが、選択信号（Ｈｉｇｈ）は第１電位（Ｖ１）以上で設定され、第３電位（Ｖ３＝ＶＤＤ２）とすることができるからである。
【０１６２】
選択信号の電位を第３電位（Ｖ３）とし、記憶回路６０の画像信号をＬｏｗからＨｉｇｈに書き換える場合を説明する。第２トランジスター３２のソースドレインの一方が電気的に接続された第１インバーター６１の入力端子２５は、画像信号を書き換える前は、Ｌｏｗの第２電位（Ｖ２）である。第２トランジスター３２のゲートに第１走査線４２から第３電位（Ｖ３）の選択信号が供給されると、第２トランジスター３２のゲートソース電圧Ｖgs2がＶ３−Ｖ２＝７．０Ｖ−０Ｖ＝７．０Ｖとなり、第２トランジスター３２の閾値電圧Ｖth2（一例としてＶth2＝０．３６Ｖ）よりも高いので、第２トランジスター３２はオン状態となる。
【０１６３】
信号線４３からＨｉｇｈ（Ｖ１）の画像信号が記憶回路６０に書き込まれることで、第１インバーター６１の入力端子２５の電位がＬｏｗ（Ｖ２）からＨｉｇｈ（Ｖ１）まで次第に上昇するが、これに伴って、第２トランジスター３２のゲートソース電圧Ｖgs2はＶ３−Ｖ１＝７．０Ｖ−３．０Ｖ＝４．０Ｖまで次第に低下する。第２トランジスター３２のゲートソース電圧Ｖgs2が最も低い４．０Ｖとなっても、第２トランジスター３２の閾値電圧Ｖth2よりもゲートソース電圧Ｖgs2が十分高い。そのため、画像信号が記憶回路６０に書き込まれるまで、第２トランジスター３２のオン抵抗が低い状態が維持されるので、画像信号が記憶回路６０に確実に書き込まれる。
【０１６４】
ここで、仮に、第２トランジスター３２が第１トランジスター３１と逆特性のＰ型（第２トランジスター３２Ａとする）である場合を想定する。この場合、第２トランジスター３２Ａは選択信号がＬｏｗのときオン状態となる。選択信号の電位を第２電位（Ｖ２）とし、記憶回路６０の画像信号をＨｉｇｈからＬｏｗに書き換える場合、第１走査線４２から第２電位（Ｖ２）の選択信号が供給されると、第２トランジスター３２Ａのゲートソース電圧Ｖgs2がＶ２−Ｖ１＝０Ｖ−３．０Ｖ＝−３．０Ｖとなり、第２トランジスター３２Ａの閾値電圧Ｖth2（一例としてＶth2＝−０．３６Ｖ）よりも低いので、第２トランジスター３２Ａはオン状態となる。
【０１６５】
信号線４３からＬｏｗ（Ｖ２）の画像信号が記憶回路６０に書き込まれることで、第１インバーター６１の入力端子２５の電位がＨｉｇｈ（Ｖ１）から次第に低下するに伴って、第２トランジスター３２Ａのゲートソース電圧Ｖgs2は、−３．０Ｖから次第に上昇し、入力端子２５の電位が第２電位（Ｖ２）となる前に、Ｐ型の第２トランジスター３２Ａの閾値電圧Ｖth2に達して、第２トランジスター３２Ａがオフ状態となってしまう。
【０１６６】
また、第２トランジスター３２Ａがオフ状態となる前に、ゲートソース電圧Ｖgs2が上昇して閾値電圧Ｖth2に近付くに従って、第２トランジスター３２Ａのオン抵抗が上昇するので、記憶回路６０への画像信号の書き換えに時間がかかったり、書き換えに失敗したりすることとなる。これを回避するためには選択信号の電位をもっと低電位に設定すればよいが、この場合、既存の電位と異なる電位線がさらに必要となってしまう。
【０１６７】
実施例１のように、第１トランジスター３１と第２トランジスター３２とがともにＮ型の同一極性であると、選択信号の電位を、第３電位と第１電位との間で最も高い第３電位とすることで、新たな電位線を設けることなく設定できる。そして、第２トランジスター３２をオン状態として記憶回路６０に画像信号を書き込む際に、第２トランジスター３２のゲートソース電圧Ｖgs2を大きくできるので、画像信号の書き込みによりソース電位が上昇しても第２トランジスター３２のオン抵抗を低く維持することができる。これにより、記憶回路６０への画像信号の書き込みや書き換えを高速で、且つ、確実に行うことができる。
【０１６８】
同様に、第３トランジスター３３も第１トランジスター３１及び第２トランジスター３２と同一導電型（Ｎ型）であることが好ましい。第３トランジスター３３は、ゲートに電気的に接続された第２走査線４５から非保持信号が供給されるとオフ状態となり、保持信号が供給されるとオン状態となる。第３トランジスター３３もＮ型であるため、上述したように、非保持信号の電位である第７電位（Ｖ７）は、第２電位（Ｖ２）以下の低電位で設定され、第２電位（Ｖ２）であることが好ましい。又、保持信号の電位である第６電位（Ｖ４）は、第１電位（Ｖ１）以上の高電位で設定され、第３電位（Ｖ３）であることが好ましい。
【０１６９】
第３トランジスター３３のゲートに第２走査線４５から第３電位（Ｖ３）の保持信号が供給されると、第３トランジスター３３のゲートソース電圧Ｖgs3がＶ３−Ｖ２＝７．０Ｖ−０Ｖ＝７．０Ｖとなり、第３トランジスター３３の閾値電圧Ｖth3（一例としてＶth3＝０．３６Ｖ）よりも高いので、第３トランジスター３３はオン状態となる。そして、第３トランジスター３３の閾値電圧Ｖth3よりもゲートソース電圧Ｖgs3が十分高いため、第３トランジスター３３のオン抵抗が低い状態が維持されるので、記憶回路６０に書き込まれた画像信号を第１インバーター６１と第２インバーター６２との間で確実に保持できる。
【０１７０】
要するに、駆動トランジスターである第１トランジスター３１がＮ型であるならば、高電圧系電源を構成するために新たに加える第３電位（Ｖ３）は、第１電位（Ｖ１＝ＶＤＤ１）よりも高いＶ３＝ＶＤＤ２であることが好ましい。そして、第２トランジスター３２と第３トランジスター３３とは、第１トランジスター３１と同一導電型のＮ型であることが好ましい。これにより、第２トランジスター３２のゲート電位と第３トランジスター３３のゲート電位とに第３電位（Ｖ３＝ＶＤＤ２）を用いて、両トランジスター３２，３３のゲートソース電圧Ｖgs2，Ｖgs3を閾値電圧Ｖth2，Ｖth3よりも十分に大きくして、オン状態における両トランジスター３２，３３のオン抵抗を低くできる。
【０１７１】
以上の結果から、本実施形態での好ましい各電位（Ｖ１、Ｖ２、Ｖ３）と第１トランジスター３１の閾値電圧（Ｖth1）との関係をまとめると、これらの関係は数式２及び数式３で表される。
【０１７２】
【数２】
2019144295.tif 000004
【０１７３】
【数３】
2019144295.tif 000005
【０１７４】
「トランジスターの特性」
続いて、本実施形態に係る電気光学装置１０が備えるトランジスターの特性について説明する。本実施形態に係る電気光学装置１０では、高電圧系電源を構成する第３電位線（高電位線４９）と第２電位線（低電位線４６）との間に、発光素子２０と直列に第１トランジスター３１と第４トランジスター３４とが配置されている。第１トランジスター３１のオン抵抗は発光素子２０のオン抵抗と比べて十分に低いことが好ましい。又、第４トランジスター３４のオン抵抗も発光素子２０のオン抵抗と比べて十分に低いことが好ましい。
【０１７５】
十分に低いとは、第１トランジスター３１や第４トランジスター３４が線形動作する駆動条件であり、具体的には、第１トランジスター３１や第４トランジスター３４のオン抵抗が発光素子２０のオン抵抗の１／１００以下、好ましくは、１／１０００以下であることをいう。このようにすることで、発光素子２０が発光する際に第１トランジスター３１や第４トランジスター３４を線形動作させることができる。
【０１７６】
この結果、直列に配置された第１トランジスター３１と第４トランジスター３４と発光素子２０とで生ずる電位降下（要するに、高電圧系電源の電圧である第３電位と第２電位との電位差）の大半が発光素子２０にかかることになるので、発光素子２０が発光する際に両トランジスター３１，３４の閾値電圧のばらつきの影響を受け難くなる。即ち、このような構成とすると、第１トランジスター３１や第４トランジスター３４の閾値電圧のばらつきの影響を小さくすることができるので、画素５９（サブ画素５８）間での明るさのばらつきや階調のずれが抑えられ均一性に優れた画像表示を実現することができる。
【０１７７】
これは、第１トランジスター３１や第４トランジスター３４のオン抵抗を発光素子２０のオン抵抗の１／１００以下とすることで、電源電圧の９９％以上を発光素子２０が受け、両トランジスター３１，３４での電位降下が１％以下となる為である。両トランジスター３１，３４での電位降下が１％以下と小さいので、両トランジスター３１，３４の閾値電圧のばらつきが発光素子２０の発光特性に及ぼす影響は小さくなる。
【０１７８】
実施例１では、第１トランジスター３１と第４トランジスター３４との直列抵抗は、発光素子２０のオン抵抗の１／１０００程度となる。この場合、電源電圧の９９．９％程度を発光素子２０が受け、両トランジスター３１，３４での電位降下は０．１％程度となるので、両トランジスター３１，３４の閾値電圧のばらつきが発光素子２０の発光特性に及ぼす影響をほとんど無視できることになる。
【０１７９】
トランジスターのオン抵抗は、トランジスターの極性やゲート長、ゲート幅、閾値電圧、ゲート絶縁膜厚等に依存する。本実施形態では、第１トランジスター３１及び第４トランジスター３４のオン抵抗が発光素子２０のオン抵抗と比べて十分に低くなるように、両トランジスター３１，３４の極性やゲート長、ゲート幅、閾値電圧、ゲート絶縁膜厚等を定めることが好ましい。以下、この点を説明する。
【０１８０】
本実施形態では、発光素子２０に有機ＥＬ素子を用いており、第１トランジスター３１、第４トランジスター３４等のトランジスターは、単結晶シリコン基板からなる素子基板１１に形成されている。発光素子２０の電圧電流特性は、概ね以下の数式４で表される。
【０１８１】
【数４】
2019144295.tif 000006
【０１８２】
数式４において、ＩELは発光素子２０を通る電流であり、ＶELは発光素子２０にかかる電圧であり、ＬELは発光素子２０の平面視における長さであり、ＷELは発光素子２０の平面視における幅であり、Ｊ0は発光素子２０の電流密度係数であり、Ｖtmは発光素子２０が有する温度依存のある係数電圧（一定温度では一定の電圧）であり、Ｖ0は発光素子２０の発光に対する閾値電圧である。
【０１８３】
なお、高電圧系電源の電圧をＶPにて表し、第１トランジスター３１と第４トランジスター３４とで生じる電位降下をＶdsで表したときに、ＶEL＋Ｖds＝ＶPである。又、本実施形態では、ＬEL＝１１マイクロメーター（μｍ）、ＷEL＝３マイクロメーター（μｍ）、Ｊ0＝１．４４９ミリアンペア・パー・スクエアセンチメーター（ｍＡ／ｃｍ2）、Ｖ0＝３．０ボルト（Ｖ）、Ｖtm＝０．５４１ボルト（Ｖ）であった。
【０１８４】
一方、第１トランジスター３１や第４トランジスター３４などを第ｉトランジスター（ｉは１又は４）と表したとき、そのドレイン電流Ｉdsiは、以下の数式５で表される。
【０１８５】
【数５】
2019144295.tif 000007
【０１８６】
数式５において、Ｗiは第ｉトランジスターのゲート幅であり、Ｌiは第ｉトランジスターのゲート長であり、ε0は真空の誘電率であり、εoxはゲート絶縁膜の誘電率であり、ｔoxiはゲート絶縁膜の厚みであり、μiは第ｉトランジスターの移動度であり、Ｖgsiはゲート電圧であり、Ｖdsiは第ｉトランジスターによる電位降下でドレイン電圧であり、Ｖthiは第ｉトランジスターの閾値電圧である。
【０１８７】
実施例１では、Ｗ1＝１．０マイクロメーター（μｍ）、Ｗ4＝１．２５マイクロメーター（μｍ）、Ｌ1＝Ｌ4＝０．７５マイクロメーター（μｍ）、ｔox＝２０ナノメーター（ｎｍ）、μ1＝２４０スクエアセンチメーター・パー・ボルト・パー・秒（ｃｍ2／Ｖ・ｓ）、μ4＝１５０スクエアセンチメーター・パー・ボルト・パー・秒（ｃｍ2／Ｖ・ｓ）、Ｖth1＝０．３６Ｖ、Ｖth4＝−０．３６Ｖ、Ｖgs1＝Ｖ１−Ｖ２＝３．０Ｖ、Ｖgs4＝Ｖ２−Ｖ３＝−７．０Ｖである。
【０１８８】
なお、第１トランジスター３１と第４トランジスター３４とを線形動作させた場合、両トランジスター３１，３４での電位降下Ｖdsを用いて、発光素子２０の電圧電流特性は、Ｖds＝０Ｖ近傍で、以下の数式６に近似される。
【０１８９】
【数６】
2019144295.tif 000008
【０１９０】
実施例１では、数式６によって定義される係数ｋは、ｋ＝１．３９×１０-6（Ω-1）である。Ｉ0は高電圧系電源の電圧ＶPの全てが発光素子２０にかかる場合の電流量であり、Ｉ0＝７．８２×１０-7（Ａ）である。
【０１９１】
このような条件下において、発光素子２０が発光する電圧は、数式４と数式６とから、ＩEL＝Ｉdsとなる電圧である。本実施形態では、ＶP＝Ｖ３−Ｖ２＝７．０Ｖ、Ｖds1＝０．００５３Ｖ、Ｖds4＝０．００２７Ｖ、ＶEL＝６．９９２０Ｖ、ＩEL＝Ｉds1＝Ｉds4＝７．６７２×１０-7Ａであった。又、この際の第１トランジスター３１のオン抵抗は６．８５９×１０3Ωであり、第４トランジスター３４のオン抵抗は３．４９１×１０3Ωであり、発光素子２０のオン抵抗は９．１１３×１０6Ωであった。
【０１９２】
したがって、第１トランジスター３１のオン抵抗は発光素子２０のオン抵抗の１／１０００よりも低い１／１３００程度であり、第４トランジスター３４のオン抵抗は発光素子２０のオン抵抗の１／１０００よりも低い１／２６００程度であるので、高電圧系電源の電圧の大半が発光素子２０にかかるようにすることができた。
【０１９３】
この条件下では、トランジスターの閾値電圧がたとえ３０％以上変動しても（実施例１では、Ｖth1やＶth4が０．２９Ｖから０．５３Ｖまでの間で変動しても）、ＶEL＝６．９９Ｖ、ＩEL＝Ｉds1＝Ｉds4＝７．６７×１０-7Ａは不変である。通常は、トランジスターの閾値電圧がこのように大きくばらつくことはない。したがって、第４トランジスター３４のオン抵抗を発光素子２０のオン抵抗の１／１０００程度以下とすることで、第１トランジスター３１と第４トランジスター３４との閾値電圧のばらつきは、実質的に発光素子２０の発光輝度に影響を及ぼさないことになる。
【０１９４】
近似的には、数式５と数式６とを連立させて、ＩEL＝Ｉdsiとすることにより、電流ＩEL＝Ｉdsiに対する第ｉトランジスターの閾値電圧のばらつきの影響を、以下の数式７で表現できる。
【０１９５】
【数７】
2019144295.tif 000009
【０１９６】
Ｉ0は高電圧系電源の電圧ＶPの全てが発光素子２０にかかる場合の電流量であるから、数式７から判るように、発光素子２０を電源電圧ＶPの近傍で発光させるためには、ゲート電圧ＶgsiやＺiを大きくすればよい。換言すると、Ｚiを大きくする程、発光素子２０の発光輝度はトランジスターの閾値電圧のばらつきの影響を受け難くなる。
【０１９７】
実施例１では、ｋ／Ｚ1＝２．５２×１０-2Ｖ、ｋ／Ｚ4＝３．２２×１０-2Ｖと小さい値となるので、数式７の左辺第２項が、第１トランジスター３１に対しては、ｋ／（Ｚ1（Ｖgs1−Ｖth1））＝０．０１、第４トランジスター３４に対しては、ｋ／（Ｚ4（Ｖgs4−Ｖth4））＝０．００５となり、０．０１（１％）程度未満となる。この結果、発光素子２０の発光時の電流（発光輝度）は両トランジスター３１，３４の閾値電圧に殆ど影響を受けなくなった。即ち、ｋ／（Ｚi（Ｖgsi−Ｖthi））の値を０．０１（１％）程度未満とすることで、発光素子２０の発光輝度に対する両トランジスター３１，３４の閾値電圧（Ｖth1、Ｖth3）のばらつきを実質的に排除することができる。
【０１９８】
数式７において、ｋとＺiとは、数式５と数式６とにより定義される。なお、Ｐ型トランジスターでは移動度μiがＮ型トランジスターよりも小さいため、Ｐ型トランジスターのＷ（本実施形態ではＷ3）をＮ型トランジスターのＷ（本実施形態ではＷ1）よりも大きくし、Ｐ型の第４トランジスター３４のＺ4と、Ｎ型の第１トランジスター３１のＺ1とをほぼ同程度としている。
【０１９９】
発光素子２０を電源電圧ＶPの近傍で発光させるためには、ゲート電圧Ｖgsiはできるだけ大きい方が好ましい。実施例１では、活性状態における制御信号（活性信号）の電位を、第４トランジスター３４のソース電位となる第３電位（Ｖ３）に対して第２電位（Ｖ２）とすることで、第４トランジスター３４のゲートソース電圧Ｖgs4を大きくしている。
【０２００】
本実施例では、発光素子２０と直列に配置された第１トランジスター３１のゲート幅Ｗ1は、記憶回路６０に含まれる第３トランジスター３３のゲート幅Ｗ3よりも大きい。一例としては、Ｗ1＝１．０マイクロメーター（μｍ）で、Ｗ3＝０．５マイクロメーター（μｍ）である。このため、第１トランジスター３１がオン状態となって発光素子２０が発光する際に、発光素子２０に大きな電流を流すことができるので、発光素子２０の発光輝度を高めることができる。そして、オン状態における第１トランジスター３１のオン抵抗が小さくなるので、発光素子２０が発光する際に、第１トランジスター３１の閾値電圧のばらつきに起因する発光輝度のばらつきを抑制することができる。一方、第３トランジスター３３は、発光素子２０が発光している際に第２インバーター６２の出力端子２７と第１インバーター６１の入力端子２５との間の電位差を小さく保つ役割を有する。そのため、第３トランジスター３３には大きな電流が流れる必要はなく、第３トランジスター３３のゲート幅Ｗ3を第１トランジスターのゲート幅Ｗ1よりも小さくしてもその機能を十分に発揮する。こうして、記憶回路６０が安定的に画像信号を保持して、高解像度で高品位な画像を表示することが可能になる。
【０２０１】
本実施例では、第１トランジスター３１のゲート長Ｌ1は、第３トランジスターのゲート長Ｌ3よりも長い。一例としては、Ｌ1＝０．７５マイクロメーター（μｍ）で、Ｌ3＝０．５マイクロメーター（μｍ）である。このため、第１トランジスター３１と直列に配置される発光素子２０に、第３トランジスター３３を含む記憶回路６０よりも高い電圧を印加できる。そして、発光素子２０や第１トランジスター３１に高い電圧を印加しても、第１トランジスター３１のゲート長Ｌ1が長いので、第１トランジスター３１が高電圧で破壊されるおそれを低減できる。一方、記憶回路６０に含まれる第３トランジスター３３のゲート長Ｌ3が第１トランジスター３１のゲート長Ｌ1よりも短いので、第３トランジスター３３を第１トランジスター３１よりも小さくして、記憶回路６０を微細化することが可能となる。その結果、記憶回路６０を高速動作させるとともに、発光素子２０を高い電圧で発光させることができる。
【０２０２】
また、本実施形態に係る電気光学装置１０では、低電圧系電源を構成する第１電位線（高電位線４７）と第２電位線（低電位線４６）との間に、記憶回路６０に含まれる第１インバーター６１を構成する第５トランジスター３５及び第７トランジスター３７と、第２インバーター６２を構成する第６トランジスター３６及び第８トランジスター３８とが配置されている。
【０２０３】
これらの低電圧系電源で動作するトランジスター３５，３６，３７，３８は、高電圧系電源で動作する第１トランジスター３１や第４トランジスター３４と比べて印加電圧が低いため、ゲート長を短くでき、これに伴いゲート幅を狭くできるので、チャンネル形成領域の面積を小さくすることができる。即ち、記憶回路６０を微細化できる。そして、トランジスター３５，３６，３７，３８のチャンネル形成領域の面積が小さいと、トランジスター容量が小さくなるので、充放電を高速で行える。即ち、記憶回路６０への画像信号の書き込みや書き換えを高速化することができる。
【０２０４】
本実施形態では、記憶回路６０に含まれるこれらの第５トランジスター３５、第６トランジスター３６、第７トランジスター３７、及び第８トランジスター３８の平面視におけるゲート長は、発光素子２０と直列に配置される第１トランジスター３１及び第４トランジスター３４の平面視におけるゲート長よりも短い。
【０２０５】
第５トランジスター３５、第６トランジスター３６、第７トランジスター３７、及び第８トランジスター３８の平面視におけるゲート長は、Ｌ5＝Ｌ6＝Ｌ7＝Ｌ8＝０．５マイクロメーター（μｍ）である。上述したように、第１トランジスター３１及び第４トランジスター３４の平面視におけるゲート長はＬ1＝Ｌ4＝０．７５マイクロメーター（μｍ）であるので、第５トランジスター３５、第６トランジスター３６、第７トランジスター３７、及び第８トランジスター３８のゲート長の方が短い。
【０２０６】
また、本実施形態では、第５トランジスター３５、第６トランジスター３６、第７トランジスター３７、及び第８トランジスター３８の平面視におけるチャンネル形成領域の面積は、第１トランジスター３１及び第４トランジスター３４の平面視におけるチャンネル形成領域の面積よりも小さい。トランジスターのチャンネル形成領域の面積は、対向配置されるゲート電極の面積、即ち、平面視におけるゲート長とゲート幅との積と略等しい。
【０２０７】
Ｎ型の第７トランジスター３７及び第８トランジスター３８のゲート幅は、Ｗ7＝Ｗ8＝０．５マイクロメーター（μｍ）であり、Ｐ型の第５トランジスター３５及び第６トランジスター３６のゲート幅は、Ｗ5＝Ｗ6＝０．７５マイクロメーター（μｍ）である。したがって、第７トランジスター３７及び第８トランジスター３８のチャンネル形成領域の面積は、０．５×０．５＝０．２５スクエアマイクロメーター（μｍ2）であり、第５トランジスター３５及び第６トランジスター３６のチャンネル形成領域の面積は、０．５×０．７５＝０．３７５スクエアマイクロメーター（μｍ2）である。
【０２０８】
上述したように、第１トランジスター３１のゲート幅は、Ｗ1＝１．０マイクロメーター（μｍ）であるので、第１トランジスター３１のチャンネル形成領域の面積は、０．７５×１．０＝０．７５スクエアマイクロメーター（μｍ2）である。また、第４トランジスター３４のゲート幅は、Ｗ4＝１．２５マイクロメーター（μｍ）であるので、第４トランジスター３４のチャンネル形成領域の面積は、０．７５×１．２５＝０．９３７５スクエアマイクロメーター（μｍ2）である。したがって、第５トランジスター３５、第６トランジスター３６、第７トランジスター３７、及び第８トランジスター３８のチャンネル形成領域の面積の方が小さい。
【０２０９】
このように、本実施形態では、記憶回路６０に含まれるトランジスター３５，３６，３７，３８のチャンネル形成領域の面積を、発光素子２０と直列に配置されるトランジスター３１，３４のチャンネル形成領域の面積よりも小さくすることで、記憶回路６０を微細化して高速動作させるとともに、発光素子２０を高輝度で発光させることができる。
【０２１０】
「画素回路の駆動方法」
次に、図９を参照して、本実施形態に係る電気光学装置１０における画素回路の駆動方法を説明する。図９は、実施例１に係る画素回路の駆動方法の一例を説明する図である。図９において、横軸は時間軸であり、第１期間（非表示期間）と第２期間（表示期間）とを有する。第１期間は、図７に示すＰ１（Ｐ１−１〜Ｐ１−８）に相当する。第２期間は、図７に示すＰ２（Ｐ２−１〜Ｐ２−８）に相当する。なお、時間軸における時刻ｔ0、時刻ｔ1、時刻ｔ2は、後述する図１２に示す時刻ｔ0、時刻ｔ1、時刻ｔ2に対応する。
【０２１１】
図９の縦軸において、Ｓｃａｎ  １〜Ｓｃａｎ  Ｍは、Ｍ本の第１走査線４２（図５参照）のうち１行目からＭ行目までの各第１走査線４２に供給される第１走査信号を示している。第１走査信号は、選択状態における第１走査信号（選択信号）と、非選択状態における第１走査信号（非選択信号）とを有する。そして、ＸＳｃａｎ  １〜ＸＳｃａｎ  Ｍは、Ｍ本の第２走査線４５（図５参照）のうち１行目からＭ行目までの各第２走査線４５に供給される第２走査信号を示している。第２走査信号は、選択状態における第２走査信号（保持信号）と、非選択状態における第２走査信号（非保持信号）とを有する。また、Ｅｎｂは、制御線４４（図５参照）に供給される制御信号を示している。制御信号は、活性状態における制御信号（活性信号）と、非活性状態における制御信号（非活性信号）とを含む。
【０２１２】
図７を参照して説明したように、一枚の画像を表示する１フィールド（Ｆ）が複数のサブフィールド（ＳＦ）に分割され、各サブフィールド（ＳＦ）には、第１期間（非表示期間）と、第１期間が終了した後に始まる第２期間（表示期間）とが含まれる。第１期間（非表示期間）は信号書き込み期間であり、この期間に表示領域Ｅに位置する各画素回路４１（図５参照）において記憶回路６０（図８参照）に画像信号が書き込まれる。第２期間（表示期間）は、表示領域Ｅに位置する各画素回路４１において発光素子２０（図８参照）が発光し得る期間である。
【０２１３】
図９に示すように、本実施形態に係る電気光学装置１０では、第１期間（非表示期間）において、全ての制御線４４に制御信号として非活性信号が供給される。制御線４４に非活性信号が供給されると、第４トランジスター３４（図８参照）がオフ状態となるので、表示領域Ｅに位置する全ての画素回路４１において発光素子２０が発光しない状態となる。
【０２１４】
そして、第１期間には、各サブフィールド（ＳＦ）で第１走査線４２のいずれかに第１走査信号として選択信号（Ｈｉｇｈ）が供給される。第１走査線４２に選択信号が供給されると、選択された画素回路４１において第２トランジスター３２（図８参照）がオフ状態からオン状態となる。これにより、選択された画素回路４１において、信号線４３（図８参照）から第１インバーター６１へ、そして第１インバーター６１から第２インバーター６２へと画像信号が書き込まれる。このようにして、第１期間に各画素回路４１の記憶回路６０に画像信号が書き込まれて記憶される。
【０２１５】
また、本実施形態では、第１期間の画像信号書き込み期間以外の期間において、各サブフィールド（ＳＦ）で第２走査線４５には第２走査信号として保持信号（Ｈｉｇｈ）が供給されており、第１期間の画像信号書き込み期間、即ち第１走査線４２に選択信号が供給されている期間、に選択される画素回路４１に対して、第２走査信号として非保持信号（Ｌｏｗ）が供給される。即ち、本実施形態に係る電気光学装置１０は、画素回路４１に対して、互いに相補的な選択信号と非保持信号とを同一期間に出力し得る。
【０２１６】
したがって、選択信号により選択される画素回路４１において、第２トランジスター３２をオン状態にして画像信号を第１インバーター６１及び第２インバーター６２に書き込む（又は書き換える）際に、第２走査線４５に非保持信号を供給して第３トランジスター３３をオフ状態にできる。そのため、第２インバーター６２の出力端子２７と第１インバーター６１の入力端子２５との間の電気的な接続が遮断されるので、記憶回路６０への画像信号の書き込み（又は書き換え）を高速かつ確実に行うことができる。
【０２１７】
また、詳細は後述するが、実施例１では、選択信号のパルス幅や選択信号が供給されるタイミングと、非保持信号のパルス幅や非保持信号が供給されるタイミングとを調整することができる。図９に示す例では、選択信号のパルス幅と非保持信号のパルス幅とは同じであるが、選択信号が供給されるタイミングと非保持信号が供給されるタイミングとは異なる。また、選択信号から非選択信号に切り換わるタイミングと非保持信号から保持信号に切り換わるタイミングとが異なる。即ち、選択される画素回路４１に対して、第１走査線４２に選択信号が供給される前に第２走査線４５に非保持信号が供給され、第１走査線４２に非選択信号が供給される前に第２走査線４５に保持信号が供給される。
【０２１８】
このようにすると、選択信号により選択される画素回路４１において、第２トランジスター３２がオフ状態からオン状態に変わる前に、非保持信号により第３トランジスター３３（図８参照）がオン状態からオフ状態に変わる。これにより、信号線４３から第１インバーター６１へ画像信号が書き込まれる前に、第２インバーター６２の出力端子２７と第１インバーター６１の入力端子２５との間の電気的な接続が遮断されるので、選択信号により選択された画素回路４１において、記憶回路６０への画像信号の書き込み（又は書き換え）をより確実かつ高速に行うことができる。
【０２１９】
第１走査信号が選択信号から非選択信号に切り換わるタイミングと第２走査信号が非保持信号から保持信号に切り換わるタイミングとは、特に制約されない。ただし、後述するが、第１走査線４２に選択信号が供給され、かつ第２走査線４５に非保持信号が供給されている期間（第２トランジスター３２がオン状態であり、かつ第３トランジスター３３がオフ状態である期間）を８ピコ秒程度確保することが望ましい。
【０２２０】
なお、第２走査線４５に非保持信号が供給される前に、第１走査線４２に選択信号が供給されることはないものとする。第３トランジスター３３がオン状態であるうちに第２トランジスター３２がオン状態に変わってしまうと、第２インバーター６２の出力端子２７と第１インバーター６１の入力端子２５とが電気的に接続された状態、即ち、第３トランジスター３３が存在しない場合と同様の状態となる。そのため、記憶回路６０への画像信号の書き換えに時間がかかったり、書き換えができなかったりする不具合が生じるおそれがある。
【０２２１】
記憶回路６０への画像信号の書き込み（又は書き換え）が終わると、選択された画素回路４１に対して、第１走査線４２に非選択信号（Ｌｏｗ）が供給される。実施例１では、選択された画素回路４１に対して、第１走査線４２に非選択信号が供給される前に第２走査線４５に保持信号（Ｈｉｇｈ）が供給される。したがって、選択信号により選択された画素回路４１において、第２トランジスター３２がオン状態からオフ状態に変わる前に、第３トランジスター３３がオフ状態からオン状態に変わる。これにより、選択されていた画素回路４１において、第２インバーター６２の出力端子２７と第１インバーター６１の入力端子２５とが導通状態となり、記憶回路６０に書き込まれた画像信号が第１インバーター６１と第２インバーター６２との間で保持される。
【０２２２】
第２期間（表示期間）においては、全ての制御線４４に制御信号として活性信号が供給される。制御線４４に活性信号が供給されると、第４トランジスター３４がオン状態となるので、表示領域Ｅに位置する全ての画素回路４１において発光素子２０が発光し得る状態となる。第２期間には、全ての第１走査線４２に第２トランジスター３２をオフ状態とする非選択信号が第１走査信号として供給され、全ての第２走査線４５に第３トランジスター３３をオン状態とする保持信号が第２走査信号として供給される。これにより各画素回路４１の記憶回路６０では、そのサブフィールド（ＳＦ）で書き込まれた画像信号が保持される。
【０２２３】
このように、本実施形態では、第１期間（非表示期間）と第２期間（表示期間）とを独立に制御できるので、デジタル時分割駆動による階調表示を行うことができる。また、この結果、第２期間を第１期間よりも短くすることが可能となるので、より高階調の表示を実現することができる。
【０２２４】
さらに、制御線４４に供給される制御信号を複数の画素回路４１で共有することができるので、電気光学装置１０の駆動が容易になる。具体的には、第１期間を有せぬデジタル駆動の場合、全ての第１走査線４２を選択し終える一垂直期間よりも発光期間を短くするには非常に複雑な駆動が求められる。これに対して、本実施形態では、制御線４４に供給される制御信号を複数の画素回路４１で共有することにより、全ての第１走査線４２を選択し終える一垂直期間よりも発光期間が短くなるサブフィールド（ＳＦ）があっても、単純に第２期間を短くするだけで、容易に電気光学装置１０を駆動することができる。
【０２２５】
「走査線駆動回路」
次に、図１０から図１２を参照して、走査線駆動回路５２の構成と、走査線駆動回路５２による第１走査信号及び第２走査信号の形成方法とを説明する。まず、実施例１に係る走査線駆動回路の構成を説明する。図１０及び図１１は、実施例１に係る走査線駆動回路の構成を示すブロック図である。
【０２２６】
図１０に示すように、走査線駆動回路５２は、一例として、シフトレジスター回路を含み、シフトレジスター回路は、直列に配置された複数のＵｎｉｔ回路７０を用いて構成される。図１０には、本実施形態の走査線駆動回路５２に含まれる複数のＵｎｉｔ回路７０のうち、２ｎ−１（ｎは１以上の整数）段目のＵｎｉｔ回路７０と、２ｎ段目のＵｎｉｔ回路７０とが示されている。
【０２２７】
各Ｕｎｉｔ回路７０は、クロックドインバーター７１と、クロックドインバーター７２と、インバーター７３と、を含む。各Ｕｎｉｔ回路７０において、クロックドインバーター７１と、環状に配置されたクロックドインバーター７２とインバーター７３と、が直列に配置されている。インバーター７３の出力端子が、Ｕｎｉｔ回路７０の出力端子７４となる。以下の説明では、２ｎ−１段目のＵｎｉｔ回路７０をＵｎｉｔ  ２ｎ−１とも表記し、２ｎ段目のＵｎｉｔ回路７０をＵｎｉｔ  ２ｎとも表記する。また、Ｕｎｉｔ回路７０に供給される入力信号をＩＮと表記する。
【０２２８】
図１０を参照して、Ｕｎｉｔ回路７０の動作を説明する。クロックドインバーター７１，７２には、走査クロック信号ＣＬ又は走査クロック信号ＣＬの反転信号である走査クロック反転信号ＣＬバー（図１０においてＣＬの上方に横バーを付して示す）が入力される。例えば、走査クロック信号ＣＬがＨｉｇｈのとき、走査クロック反転信号ＣＬバーはＬｏｗとなる。走査クロック信号ＣＬがＬｏｗのとき、走査クロック反転信号ＣＬバーはＨｉｇｈとなる。本実施形態では、クロックドインバーター７１，７２は、走査クロック信号ＣＬ又は走査クロック反転信号ＣＬバーがＨｉｇｈのときはインバーターとして動作し、走査クロック信号ＣＬ又は走査クロック反転信号ＣＬバーがＬｏｗのときは動作しない。
【０２２９】
Ｕｎｉｔ  ２ｎ−１において、クロックドインバーター７１に走査クロック信号ＣＬが入力されるとき、クロックドインバーター７２には走査クロック反転信号ＣＬバーが入力される。そしてこのとき、Ｕｎｉｔ  ２ｎにおいては、クロックドインバーター７１に走査クロック反転信号ＣＬバーが入力され、クロックドインバーター７２には走査クロック信号ＣＬが入力される。
【０２３０】
走査クロック信号ＣＬがＨｉｇｈで走査クロック反転信号ＣＬバーがＬｏｗのとき、Ｕｎｉｔ  ２ｎ−１においては、クロックドインバーター７１がインバーターとして動作するが、クロックドインバーター７２は動作しないので、クロックドインバーター７１とインバーター７３とが直列に電気的に接続された状態となる。したがって、入力信号ＩＮ（又は図示しない前段のＵｎｉｔ  ２ｎ−２からの出力信号）がクロックドインバーター７１からインバーター７３へシフトされ、シフト出力信号としてＵｎｉｔ  ２ｎ−１の出力端子７４から出力される。以下では、シフトを転送と表記し、シフト出力信号を単に出力信号と表記する。
【０２３１】
このとき、Ｕｎｉｔ  ２ｎにおいては、クロックドインバーター７１は動作せず、クロックドインバーター７２がインバーターとして動作するので、クロックドインバーター７２とインバーター７３とが環状に電気的に接続された状態となる。したがって、Ｕｎｉｔ  ２ｎ−１の出力端子７４からの出力信号は、Ｕｎｉｔ  ２ｎには転送されず、走査クロック信号ＣＬがＨｉｇｈとなる前にＵｎｉｔ  ２ｎ−１の出力端子７４から転送された出力信号が、Ｕｎｉｔ  ２ｎのインバーター７３とクロックドインバーター７２との間で保持されるとともに、Ｕｎｉｔ  ２ｎの出力端子７４から出力信号が出力されて図示しない後段のＵｎｉｔ  ２ｎ＋１に転送される。
【０２３２】
走査クロック信号ＣＬがＨｉｇｈからＬｏｗになり走査クロック反転信号ＣＬバーがＬｏｗからＨｉｇｈになると、Ｕｎｉｔ  ２ｎ−１においては、クロックドインバーター７１は動作せず、クロックドインバーター７２がインバーターとして動作するので、クロックドインバーター７２とインバーター７３とが環状に電気的に接続された状態となる。したがって、新たな入力信号ＩＮは、Ｕｎｉｔ  ２ｎ−１には入力されず、走査クロック信号ＣＬがＬｏｗとなる前に（走査クロック信号ＣＬがＨｉｇｈの際に）転送された信号が、インバーター７３とクロックドインバーター７２との間で保持されるとともに、Ｕｎｉｔ  ２ｎ−１の出力端子７４から出力される。
【０２３３】
このとき、Ｕｎｉｔ  ２ｎにおいては、クロックドインバーター７１がインバーターとして動作するが、クロックドインバーター７２は動作しないので、クロックドインバーター７１とインバーター７３とが直列に電気的に接続された状態となる。したがって、Ｕｎｉｔ  ２ｎ−１の出力端子７４からの出力信号がクロックドインバーター７１からインバーター７３へ転送され、Ｕｎｉｔ  ２ｎの出力端子７４から出力される。
【０２３４】
このようにして、走査クロック信号ＣＬと走査クロック反転信号ＣＬバーとがＨｉｇｈとＬｏｗとの間で切り換わる毎、即ち走査クロック信号ＣＬ及び走査クロック反転信号ＣＬバーの１／２周期毎に、入力信号ＩＮに基づいて前段のＵｎｉｔから出力される出力信号がその後段のＵｎｉｔへと順次転送される。換言すると、走査クロック信号ＣＬ及び走査クロック反転信号ＣＬバーの１周期毎に、入力信号ＩＮに基づく信号が２つ後段のＵｎｉｔまで転送される。
【０２３５】
図１１に示すように、実施例１に係る走査線駆動回路５２は、選択回路８０と、第１調整回路８２と、第２調整回路８４と、第１否定回路８６とを含む。選択回路８０は、第１調整回路８２と第２調整回路８４とに電気的に接続されている。第１調整回路８２は、各第１走査線４２（図８参照）に電気的に接続されている。第２調整回路８４は、第１否定回路８６を介して、各第２走査線４５（図８参照）に電気的に接続されている。
【０２３６】
実施例１に係る走査線駆動回路５２は、選択回路８０の出力信号から第１調整回路８２を用いて選択信号と非選択信号とを含む第１走査信号を形成し、その第１走査信号を第１走査線４２に供給する。また、走査線駆動回路５２は、選択回路８０の出力信号から第２調整回路８４と第１否定回路８６とを用いて保持信号と非保持信号とを含む第２走査信号を形成し、その第２走査信号を第２走査線４５に供給する。
【０２３７】
選択回路８０は、一例として、複数のＵｎｉｔ回路７０とＡＮＤ回路（論理積回路）７６とを含む。図１１には、選択回路８０が含む複数のＵｎｉｔ回路７０のうち１段目のＵｎｉｔ  １から８段目のＵｎｉｔ  ８までと、Ｕｎｉｔ  １からＵｎｉｔ  ８までのＵｎｉｔ回路７０に電気的に接続されたＡＮＤ回路７６とが示されている。Ｕｎｉｔ回路７０のうちのＵｎｉｔ  １に入力信号線７５から入力信号ＩＮが供給され、その入力信号ＩＮに基づいてＵｎｉｔ  １から出力される出力信号がＵｎｉｔ  ２へ転送され、さらに後段のＵｎｉｔへと順次転送される。
【０２３８】
各ＡＮＤ回路７６の入力端子は、前後に隣り合う２つのＵｎｉｔ（Ｕｎｉｔ回路７０）の出力端子７４（図１０参照）に電気的に接続されている。以下では、ｎ番目のＡＮＤ回路７６の出力端子をＯｕｔ  ｎと表記する。ｎ番目のＡＮＤ回路７６は、電気的に接続された２つのＵｎｉｔ  ｎ及びＵｎｉｔ  ｎ＋１の出力端子７４からの出力信号の論理積を取り、Ｏｕｔ  ｎから元走査信号として出力する。例えば、１番目のＡＮＤ回路７６は、１段目のＵｎｉｔ  １からの出力信号と２段目のＵｎｉｔ  ２からの出力信号との論理積である元走査信号をＯｕｔ  １から出力する。
【０２３９】
ＡＮＤ回路７６のＯｕｔ  ｎは、分岐されて第１調整回路８２と第２調整回路８４とに電気的に接続されている。各ＡＮＤ回路７６のＯｕｔ  ｎから出力される元走査信号は、第１調整回路８２と第２調整回路８４とに供給される。元走査信号は、元選択信号と非元選択信号とを含む。したがって、選択回路８０から第１調整回路８２と第２調整回路８４とに元選択信号又は非元選択信号が供給される。実施例１では、一例として、元選択信号はＨｉｇｈであり、非元選択信号はＬｏｗでる。
【０２４０】
第１調整回路８２は、一例として、複数のＡＮＤ回路７６を含む。第１調整回路８２の各ＡＮＤ回路７６の入力端子は、対応する選択回路８０のＡＮＤ回路７６のＯｕｔ  ｎと第１調整信号線７７とに電気的に接続されている。第１調整回路８２の各ＡＮＤ回路７６には、対応する選択回路８０のＡＮＤ回路７６のＯｕｔ  ｎから出力される元走査信号と、第１調整信号線７７から供給される第１調整信号ＣＳ１と、が入力される。
【０２４１】
第１調整回路８２は、入力信号、即ち、選択回路８０から出力される元走査信号に含まれる元選択信号のパルス幅を調整して、選択信号を形成する。具体的には、第１調整回路８２の各ＡＮＤ回路７６は、対応する選択回路８０のＡＮＤ回路７６のＯｕｔ  ｎから出力される元走査信号と第１調整信号ＣＳ１との論理積を取る。そして、第１調整回路８２の各ＡＮＤ回路７６は、元走査信号が元選択信号であるときに元選択信号と第１調整信号ＣＳ１との論理積として選択信号を形成し、元走査信号が非元選択信号であるときに非元選択信号と第１調整信号ＣＳ１との論理積として非選択信号を形成する。
【０２４２】
実施例１に係る走査線駆動回路５２は、元走査信号が元選択信号であるときに第１調整回路８２を用いて形成した選択信号もしくは非選択信号、又は元走査信号が非元選択信号であるときに第１調整回路８２を用いて形成した非選択信号を、第１走査信号Ｓｃａｎ  ｎとして第１走査線４２に供給する。例えば、走査線駆動回路５２は、選択回路８０における１番目のＡＮＤ回路７６のＯｕｔ  １の元選択信号から形成した選択信号又は非元選択信号から形成した非選択信号を、第１走査信号Ｓｃａｎ  １として１本目の第１走査線４２に供給する。
【０２４３】
第２調整回路８４は、一例として、複数のＡＮＤ回路７６を含む。第２調整回路８４の各ＡＮＤ回路７６の入力端子は、対応する選択回路８０のＡＮＤ回路７６のＯｕｔ  ｎと第２調整信号線７９とに電気的に接続されている。第２調整回路８４の各ＡＮＤ回路７６には、対応する選択回路８０のＡＮＤ回路７６のＯｕｔ  ｎから出力される元走査信号と、第２調整信号線７９から供給される第２調整信号ＣＳ２と、が入力される。
【０２４４】
第２調整回路８４は、入力信号、即ち、選択回路８０から出力される元走査信号に含まれる元選択信号のパルス幅を調整する。具体的には、第２調整回路８４の各ＡＮＤ回路７６は、対応する選択回路８０のＡＮＤ回路７６のＯｕｔ  ｎから出力される元走査信号と第２調整信号ＣＳ２との論理積を取り、第１否定回路８６に出力する。第１否定回路８６は、一例として、複数のインバーター７８を含む。第１否定回路８６の各インバーター７８は、第２調整回路８４の各ＡＮＤ回路７６から出力された出力信号を反転して出力する。
【０２４５】
実施例１に係る走査線駆動回路５２は、選択回路８０のＡＮＤ回路７６のＯｕｔ  ｎから出力される元走査信号と第２調整信号ＣＳ２との論理積を第２調整回路８４で取り第１否定回路８６で反転して形成した出力信号を、第２走査信号Ｓｃａｎ  ｎとして第２走査線４５に出力する。すなわち、走査線駆動回路５２は、元走査信号が元選択信号であるときに第２調整回路８４と第１否定回路８６とを用いて形成した非保持信号もしくは保持信号、又は元走査信号が非元選択信号であるときに第２調整回路８４と第１否定回路８６とを用いて形成した保持信号を、第２走査信号ＸＳｃａｎ  ｎとして第１走査線４２に供給する。例えば、走査線駆動回路５２は、選択回路８０の１番目のＡＮＤ回路７６のＯｕｔ  １の元選択信号から形成した非保持信号又は非元選択信号から形成した保持信号を、第２走査信号ＸＳｃａｎ  １として１本目の第２走査線４５に供給する。
【０２４６】
続いて、実施例１に係る走査線駆動回路５２の動作を説明する。図１２は、実施例１に係る走査線駆動回路の動作を説明するタイミングチャートである。図１２に示すタイミングチャートのように走査線駆動回路５２が動作することにより、図９に示す画素回路の駆動方法が実現される。
【０２４７】
図１２において、横軸は時間軸であり、時刻ｔ0から時刻ｔ8までが示されている。時刻ｔ0から時刻ｔ8までの各時刻の間隔は、１本の第１走査線４２の選択に割り当てられる時間に相当する。換言すると、ｎ本目の第１走査線４２の選択時間は、時刻ｔn-1から時刻ｔnまでの範囲内で設定される。本実施例では、一例として、１本の第１走査線４２の選択に割り当てられる時刻ｔn-1から時刻ｔnまでの時間を５ナノ秒とする。
【０２４８】
縦軸には、選択回路８０の出力端子Ｏｕｔ  １〜Ｏｕｔ  ５から出力される元走査信号、第１調整回路８２に入力される第１調整信号ＣＳ１、第１走査線４２に出力される第１走査信号Ｓｃａｎ  １〜Ｓｃａｎ  ４、第２調整回路８４に入力される第２調整信号ＣＳ２、第２走査線４５に出力される第２走査信号ＸＳｃａｎ  １〜ＸＳｃａｎ  ４が示されている。
【０２４９】
図示を省略するが、入力信号ＩＮに基づいて選択回路８０のＵｎｉｔ回路７０の各Ｕｎｉｔ  ｎ（図１１参照）から出力される出力信号は、走査クロック信号ＣＬ（及び走査クロック反転信号ＣＬバー）の１周期に相当するパルス幅の元選択信号に対応する信号（実施例１ではＨｉｇｈの信号）を有する。そして、このＨｉｇｈの信号は、走査クロック信号ＣＬの１／２周期毎に前段のＵｎｉｔから後段のＵｎｉｔへと転送される。走査クロック信号ＣＬの１／２周期は、１本の第１走査線４２の選択に割り当てられる時間（時刻ｔn-1から時刻ｔnまで）と同じなるように設定されている。
【０２５０】
例えば、Ｕｎｉｔ  １からは、１本目の第１走査線４２の選択に割り当てられる時間よりも走査クロック信号ＣＬの１／２周期分前の時刻ｔ-1（図１２には図示しない）から走査クロック信号ＣＬの１周期に相当する時刻ｔ1までＨｉｇｈの信号が出力される。そして、Ｕｎｉｔ  ２からは、Ｕｎｉｔ  １に対して走査クロック信号ＣＬの１／２周期後の時刻ｔ0から時刻ｔ2までＨｉｇｈの信号が出力される。
【０２５１】
上述した通り、選択回路８０の１番目のＡＮＤ回路７６は、Ｕｎｉｔ  １からの出力信号とＵｎｉｔ  ２からの出力信号との論理積を取りＯｕｔ  １から元走査信号として出力する。時刻ｔ0から時刻ｔ1までは、Ｕｎｉｔ  １からの出力信号とＵｎｉｔ  ２からの出力信号とがともにＨｉｇｈであるので、１番目のＡＮＤ回路７６のＯｕｔ  １から元選択信号（Ｈｉｇｈ）が出力される。
【０２５２】
時刻ｔ1以降は、Ｕｎｉｔ  １からの出力信号がＬｏｗであるので、１番目のＡＮＤ回路７６のＯｕｔ  １から非元選択信号（Ｌｏｗ）が出力される。そして、２番目のＡＮＤ回路７６のＯｕｔ  ２からは時刻ｔ1から時刻ｔ2まで元選択信号（Ｈｉｇｈ）が出力され、３番目のＡＮＤ回路７６のＯｕｔ  ３からは時刻ｔ2から時刻ｔ3まで元選択信号（Ｌｏｗ）が出力される。
【０２５３】
実施例１では、第１調整信号ＣＳ１は、１本の第１走査線４２の選択に割り当てられる時間に対して、時刻ｔn-1から所定の時間経過するまでＬｏｗであり、所定の時間経過した時点から時刻ｔnまでＨｉｇｈとなる。実施例１では、一例として、１本の第１走査線４２の選択に割り当てられる時間の５ナノ秒に対して、所定の時間を１ナノ秒とする。図１２において、第１調整信号ＣＳ１は、例えば、時刻ｔ0から１ナノ秒経過した時刻ｔ01までＬｏｗであり、時刻ｔ01から時刻ｔ1までの４ナノ秒の間Ｈｉｇｈとなる。
【０２５４】
ｎ本目の第１走査線４２に供給される第１走査信号Ｓｃａｎ  ｎは、Ｏｕｔ  ｎの出力信号と第１調整信号ＣＳ１との論理積である。したがって、１本目の第１走査線４２に供給される第１走査信号Ｓｃａｎ  １は、Ｏｕｔ  １の出力信号と第１調整信号ＣＳ１との論理積を取るので、時刻ｔ0から時刻ｔ01までは非選択信号（Ｌｏｗ）となり、時刻ｔ01から時刻ｔ1までの４ナノ秒の間は選択信号（Ｈｉｇｈ）となり、時刻ｔ1以降は非選択信号（Ｌｏｗ）となる。換言すると、第１調整回路８２により、元選択信号に対して選択信号のパルス幅と、非選択信号から選択信号に切り換わるタイミングとが調整される。この結果、実施例１では、時刻ｔ01から時刻ｔ1までの４ナノ秒間に、１本目の第１走査線４２に選択信号（Ｈｉｇｈ）が供給される。
【０２５５】
実施例１では、第２調整信号ＣＳ２は、１本の第１走査線４２の選択に割り当てられる時間に対して、時刻ｔn-1から所定の時間経過するまでＨｉｇｈであり、所定の時間経過した時点から時刻ｔnまでＬｏｗとなる。実施例１では、一例として、１本の第１走査線４２の選択に割り当てられる時間の５ナノ秒に対して、所定の時間を４ナノ秒とする。図１２において、第２調整信号ＣＳ２は、例えば、時刻ｔ0から４ナノ秒経過した時刻ｔ02までＨｉｇｈであり、時刻ｔ02から時刻ｔ1までの１ナノ秒の間Ｌｏｗとなる。
【０２５６】
ｎ本目の第２走査線４５に供給される第２走査信号ＸＳｃａｎ  ｎは、Ｏｕｔ  ｎの出力信号と第２調整信号ＣＳ２との論理積の反転信号である。したがって、１本目の第２走査線４５に供給される第２走査信号ＸＳｃａｎ  １は、Ｏｕｔ  １の出力信号と第２調整信号ＣＳ２との論理積を反転させるので、時刻ｔ0から時刻ｔ02までの４ナノ秒の間は非保持信号（Ｌｏｗ）となり、時刻ｔ02から時刻ｔ1までの１ナノ秒の間と時刻ｔ1以降が保持信号（Ｈｉｇｈ）となる。換言すると、第２調整回路８４により、元選択信号に対して非保持信号のパルス幅と、非保持信号から保持信号に切り換わるタイミングとが調整され、第１否定回路８６により電位（ＨｉｇｈとＬｏｗと）が反転される。この結果、実施例１では、時刻ｔ0から時刻ｔ02までの４ナノ秒の間に、１本目の第２走査線４５に非保持信号（Ｌｏｗ）が供給される。
【０２５７】
したがって、走査線駆動回路５２から、時刻ｔ0から時刻ｔ01までは非選択信号と非保持信号とが出力され、時刻ｔ01から時刻ｔ02までは選択信号と非保持信号とが出力され、時刻ｔ02から時刻ｔ1までは選択信号と保持信号とが出力される。即ち、実施例１に係る走査線駆動回路５２は、互いに相補的な選択信号と非保持信号とを同一期間に出力し得る。そして、その結果、図９に示すように、第１走査線４２に選択信号が供給される前に第２走査線４５に非保持信号が供給され、第１走査線４２に非選択信号が供給される前に第２走査線４５に保持信号が供給される。
【０２５８】
なお、実施例１では元選択信号がＨｉｇｈである場合を例に説明したが、元選択信号はＬｏｗであってもよい。元選択信号がＬｏｗである場合、選択回路８０の各Ｕｎｉｔ回路７０の出力端子７４とＡＮＤ回路７６の入力端子との間にインバーターを配置することにより、各Ｕｎｉｔ回路７０の出力端子７４から出力されるＬｏｗの信号をＨｉｇｈにしてＡＮＤ回路７６の入力端子に入力することができる。
【０２５９】
ここで、上述したように、図９に示す実施例１の駆動方法では、第１インバーター６１の入力端子２５に画像信号を書き込む際に、第３トランジスター３３はオフ状態にある。このため、信号線４３と電源（ＶＳＳやＶＤＤ１）とが導通することがなく、画像信号の書き込み（又は書き換え）は、第１インバーター６１の入力端子２５の第５トランジスター３５及び第７トランジスター３７のトランジスター容量への充電だけで済む（要するに電流経路がない）。この結果、第１インバーター６１の入力端子２５への画像信号の書き込みを非常に高速（短時間）で行うことができる。次にこの点を説明する。
【０２６０】
Ｐ型の第５トランジスター３５のトランジスター容量ＣPは、ＣP＝６．４７×１０-16ファラッド（Ｆ）であり、Ｎ型の第７トランジスター３７のトランジスター容量ＣNは、ＣN＝４．３１×１０-16ファラッドであるから、第１インバーター６１の入力端子２５の総トランジスター容量ＣTrは、ＣTr＝１．０７９×１０-15ファラッドである。本実施形態では、選択信号の電位はＶ４＝Ｖ３＝７．０Ｖと高いので、オン状態における第２トランジスター３２のオン抵抗はきわめて低くなる。第２トランジスター３２を通るオン電流Ｉds2は、Ｉds2＝４．１３×１０-4アンペア（Ａ）である。従って、第２トランジスター３２を介して第１インバーター６１の入力端子２５に画像信号を書き込むのに必要な時間τ1は、数式８で求められ、τ1＝ＣTr×Ｖ／Ｉds2＝３．９２×１０-12秒である。
【０２６１】
【数８】
2019144295.tif 000010
【０２６２】
数式８において、Ｖは第１インバーター６１の論理反転電圧（Ｖ１＋Ｖ２）／２＝１．５Ｖである。このように、本実施形態では、画像信号を書き込む（又は書き換える）際に第３トランジスター３３がオフ状態となり、選択信号の電位がＶ４＝Ｖ３＝７．０Ｖと高いので、４ピコ秒程度の極めて短時間で画像信号を書き込む（又は書き換える）ことができる。
【０２６３】
一方、第２インバーター６２の入力端子２８の書き換え時間を同様に計算すると、第５トランジスター３５と第７トランジスター３７とでは、オン電流が僅かに低い第５トランジスター３５を介して書き換える方が時間がかかる（第２インバーター６２の入力端子２８をＬｏｗからＨｉｇｈに書き換える方が、第２インバーター６２の入力端子２８をＨｉｇｈからＬｏｗに書き換えるよりも、時間がかかる）。その場合、第５トランジスター３５のオン電流Ｉds5はＩds5＝１．５４×１０-6アンペア程度であるので、第２インバーター６２の入力端子２８に画像信号を書き込むのに必要な時間τ2は、τ2＝ＣTr×Ｖ／Ｉds5＝１．０５×１０-11秒である。
【０２６４】
結局、第３トランジスター３３がオフ状態となった後に、第２トランジスター３２がオン状態となっている期間（第１走査線４２に選択信号が入っており、かつ第２走査線４５に非保持信号が入っている期間）は、マージンを考慮してτ1の２倍とし、８ピコ秒程度で十分となる。更に、第１走査信号（Ｓｃａｎ）がＨｉｇｈになった時刻から第２走査信号（ＸＳｃａｎ）がＨｉｇｈとなる時刻までの時間は、４（ピコ秒）×２＋１０．５（ピコ秒）×２＝２９（ピコ秒）であり、３０（ピコ秒）程度あれば十分であることになる。本実施形態では第１走査信号（Ｓｃａｎ）と第２走査信号（ＸＳｃａｎ）とは相補的で、選択信号期間は５．０ナノ秒としている。この場合、全ての第１走査線４２が選択される一垂直期間（非表示期間Ｐ１）は５．０（ナノ秒）×７２０×３＝１０．８マイクロ秒である。
【０２６５】
なお、実施例１に係る走査線駆動回路５２では、図１２に示すタイミングチャートの例に対して、第１調整信号ＣＳ１及び第２調整信号ＣＳ２のパルス幅やＨｉｇｈからＬｏｗとなる（又はＬｏｗからＨｉｇｈとなる）タイミングを異ならせることが可能である。これにより、選択信号のパルス幅と非保持信号のパルス幅とを異ならせたり、選択信号が供給されるタイミングと非保持信号が供給されるタイミングとを異ならせたりして、図９に示す画素回路の駆動方法とは異なる画素回路の駆動方法を実現することができる。
【０２６６】
図１３は、実施例１に係る画素回路の駆動方法の別の例を説明する図である。図１３に示す例では、図９に示す例と同様に選択信号（Ｈｉｇｈ）のパルス幅と非保持信号（Ｌｏｗ）のパルス幅とが同じであるが、第１走査信号が非選択信号から選択信号に切り換わる際に第２走査信号が保持信号から非保持信号に切り換わり、第１走査信号が選択信号から非選択信号に切り換わる際に第２走査信号が非保持信号から保持信号に切り換わる。したがって、画素回路４１において、第２トランジスター３２がオフ状態からオン状態に変わる際に第３トランジスター３３がオン状態からオフ状態に変わり、第２トランジスター３２がオン状態からオフ状態に変わる際に、第３トランジスター３３がオフ状態からオン状態に変わる。
【０２６７】
また、図示を省略するが、選択信号のパルス幅を非保持信号のパルス幅よりも大きくしてもよいし、選択信号のパルス幅よりも非保持信号のパルス幅を大きくしてもよい。選択信号のパルス幅が非保持信号のパルス幅よりも大きい場合は、非保持信号が供給される前に選択信号が供給されることがない設定とする。選択信号のパルス幅よりも非保持信号のパルス幅のほうが大きい場合は、第１走査線４２に選択信号が供給される前に第２走査線４５に非保持信号が供給され、第１走査線４２に非選択信号が供給された後に、第２走査線４５に保持信号が供給されるようにしてもよい。したがって、画素回路４１において、第２トランジスター３２がオン状態にある期間とその前後の期間とに亘って第３トランジスター３３はオフ状態となる。この場合、第２トランジスター３２がオン状態からオフ状態に変わった後で、第３トランジスター３３もオフ状態にある期間は第１インバーター６１の入力端子２５の論理（画像信号）が反転しない程度の短時間とすることが望ましい。
【０２６８】
以上述べたように、本実施形態に係る画素回路４１の構成によれば、高解像度の高品位な画像を低消費電力で表示できるとともに、記憶回路６０への画像信号の書き込み（又は書き換え）を高速、かつ確実に行い、より明るい表示が得られる電気光学装置１０を実現することができる。
【０２６９】
以下に、本実施形態に係る画素回路や走査線駆動回路の構成について、実施例１に対する変形例と他の実施例とを説明する。以下の説明では、前出の変形例又は実施例との相違点を説明し、前出の変形例又は実施例と同じ構成要素については、図面に同一の符号を付してその説明を省略する。
【０２７０】
（変形例１）
「走査線駆動回路」
実施例１に対する変形例である変形例１に係る走査線駆動回路の構成と画素回路の駆動方法の一例とを説明する。図１４は、変形例１に係る走査線駆動回路の構成を説明する図である。図１５は、変形例１に係る画素回路の駆動方法の一例を説明する図である。
【０２７１】
図１４に示すように、変形例１に係る走査線駆動回路５２Ａは、選択回路８０と、第１調整回路８２と、第１否定回路８６とを含む。変形例１に係る走査線駆動回路５２Ａは、実施例１に係る走査線駆動回路５２に対して、第２調整回路８４を有していない点が異なるが、他の構成は同じである。
【０２７２】
変形例１に係る走査線駆動回路５２Ａは、選択回路８０の出力信号から第１調整回路８２を用いて選択信号と非選択信号とを含む第１走査信号を形成し、その第１走査信号を第１走査線４２に供給する。また、走査線駆動回路５２Ａは、選択回路８０の出力信号から第１否定回路８６を用いて保持信号と非保持信号とを含む第２走査信号を形成し、その第２走査信号を第２走査線４５に供給する。したがって、選択信号は、実施例１と同様に、選択回路８０から出力される元選択信号のパルス幅を調整して形成される。一方、非保持信号は、選択回路８０から出力される元選択信号のパルス幅を調整することなく形成される。即ち、非保持信号は、元選択信号を第１否定回路８６のインバーター７８で反転した反転信号となる。
【０２７３】
図１５に示すように、変形例１に係る走査線駆動回路５２Ａは、元選択信号のパルス幅を調整することなく非保持信号を形成するので、選択信号（Ｈｉｇｈ）のパルス幅よりも非保持信号（Ｌｏｗ）のパルス幅の方が大きくなる。また、第１走査信号が非選択信号から選択信号に切り換わる前に、第２走査信号が保持信号から非保持信号に切り換わり、第１走査信号が選択信号から非選択信号に切り換わる際に、第２走査信号が非保持信号から保持信号に切り換わる。したがって、画素回路４１において、第２トランジスター３２がオフ状態からオン状態に変わる前に第３トランジスター３３がオン状態からオフ状態に変わり、第２トランジスター３２がオン状態からオフ状態に変わる際に、第３トランジスター３３がオフ状態からオン状態に変わる。
【０２７４】
（変形例２）
「走査線駆動回路」
実施例１に対する変形例である変形例２に係る走査線駆動回路の構成を説明する。図１６は、変形例２に係る走査線駆動回路の構成を説明する図である。図１７は、変形例２に係る画素回路の駆動方法の一例を説明する図である。
【０２７５】
図１６に示すように、変形例２に係る走査線駆動回路５２Ｂは、選択回路８０と、第２調整回路８４と、第１否定回路８６とを含む。変形例２に係る走査線駆動回路５２Ｂは、実施例１に係る走査線駆動回路５２に対して、第１調整回路８２を有していない点が異なるが、他の構成は同じである。
【０２７６】
変形例２に係る走査線駆動回路５２Ｂは、選択回路８０の出力信号をそのまま選択信号と非選択信号とを含む第１走査信号として第１走査線４２に供給する。また、走査線駆動回路５２Ｂは、選択回路８０の出力信号から第２調整回路８４と第１否定回路８６とを用いて保持信号と非保持信号とを含む第２走査信号を形成し、その第２走査信号を第２走査線４５に供給する。したがって、選択信号は、選択回路８０から出力される元選択信号のパルス幅を調整することなく形成される。非保持信号は、実施例１と同様に、選択回路８０から出力される元選択信号のパルス幅を調整し反転して形成される。
【０２７７】
図１７に示すように、変形例２に係る走査線駆動回路５２Ｂは、元選択信号のパルス幅を調整することなく選択信号を形成するので、選択信号（Ｈｉｇｈ）のパルス幅が非保持信号（Ｌｏｗ）のパルス幅よりも大きくなる。また、第１走査信号が非選択信号から選択信号に切り換わる際に、第２走査信号が保持信号から非保持信号に切り換わり、第１走査信号が選択信号から非選択信号に切り換わる前に、第２走査信号が非保持信号から保持信号に切り換わる。したがって、画素回路４１において、第２トランジスター３２がオフ状態からオン状態に変わる際に第３トランジスター３３がオン状態からオフ状態に変わり、第３トランジスター３３がオフ状態からオン状態に変わった後に第２トランジスター３２がオン状態からオフ状態に変わる。
【０２７８】
（変形例３）
「走査線駆動回路」
実施例１に対する変形例である変形例３に係る走査線駆動回路の構成を説明する。図１８は、変形例３に係る走査線駆動回路の構成を説明する図である。図１９は、変形例３に係る画素回路の駆動方法の一例を説明する図である。
【０２７９】
図１８に示すように、変形例３に係る走査線駆動回路５２Ｃは、選択回路８０と、第１否定回路８６とを含む。変形例３に係る走査線駆動回路５２Ｃは、実施例１に係る走査線駆動回路５２に対して、第１調整回路８２と第２調整回路８４とを有していない点が異なるが、他の構成は同じである。
【０２８０】
変形例３に係る走査線駆動回路５２Ｃは、選択回路８０の出力信号をそのまま選択信号と非選択信号とを含む第１走査信号として第１走査線４２に供給する。また、走査線駆動回路５２Ｃは、選択回路８０の出力信号から第１否定回路８６を用いて保持信号と非保持信号とを含む第２走査信号を形成し、その第２走査信号を第２走査線４５に供給する。したがって、選択信号は、選択回路８０から出力される元選択信号のパルス幅を調整することなく形成される。また、非保持信号は、選択回路８０から出力される元選択信号のパルス幅を調整することなく形成され、元選択信号を第１否定回路８６のインバーター７８で反転した反転信号となる。
【０２８１】
図１９に示すように、変形例３に係る走査線駆動回路５２Ｃは、元選択信号のパルス幅を調整することなく選択信号と非保持信号とを形成するので、選択信号（Ｈｉｇｈ）のパルス幅と非保持信号（Ｌｏｗ）とが同じとなる。また、第１走査信号が非選択信号から選択信号に（又はその逆に）切り換わるタイミングと、第２走査信号が保持信号から非保持信号に（又はその逆に）切り換わるタイミングとが同じとなる。したがって、画素回路４１において、第２トランジスター３２がオフ状態からオン状態に変わる際に第３トランジスター３３がオン状態からオフ状態に変わり、第３トランジスター３３がオフ状態からオン状態に変わる際に第２トランジスター３２がオン状態からオフ状態に変わる。
【０２８２】
以上、実施例１の走査線駆動回路５２に対して、第１調整回路８２と第２調整回路８４との少なくとも一方を有していない変形例１，２，３を説明したが、実施例１の走査線駆動回路５２の構成においても、第１調整信号ＣＳ１と第２調整信号ＣＳ２とを変更することにより、図１５に示す変形例１、図１７に示す変形例２、及び図１９に示す変形例３の選択信号と非保持信号とを形成することが可能である。
【０２８３】
（実施例２）
「画素回路」
次に、実施例２に係る画素回路の構成を説明する。図２０は、実施例２に係る画素回路の構成を説明する図である。図２０に示すように、実施例２に係る画素回路４１Ａは、実施例１に係る画素回路４１に対して、第１インバーター６１と第２インバーター６２との間に配置された第３トランジスターがＰ型の第３トランジスター３３Ａである点が異なるが、他の構成は同じである。
【０２８４】
実施例２に係る画素回路４１Ａは、Ｎ型の第１トランジスター３１と、発光素子２０と、Ｐ型の第４トランジスター３４と、記憶回路６０と、Ｎ型の第２トランジスター３２とを含む。記憶回路６０は、第１インバーター６１と、第２インバーター６２と、Ｐ型の第３トランジスター３３Ａとを含む。第３トランジスター３３Ａのゲートは、第２走査線４５に電気的に接続されている。
【０２８５】
第３トランジスター３３ＡがＰ型であるので、第２走査線４５に供給される第２走査信号において、保持信号はＬｏｗ（低電位）であり、非保持信号はＨｉｇｈ（高電位）である。したがって、実施例２に係る画素回路４１Ａでは、実施例１に係る画素回路４１に対して、保持信号の電位と非保持信号の電位との高低関係が逆となる。なお、第１走査線４２に供給される第１走査信号は実施例１と同じである。
【０２８６】
「走査線駆動回路」
実施例２に係る走査線駆動回路の構成を説明する。図２１は、実施例２に係る走査線駆動回路の構成を示すブロック図である。図２１に示すように、実施例２に係る走査線駆動回路５２Ｄは、選択回路８０と、第１調整回路８２と、第２調整回路８４とを含む。実施例２に係る走査線駆動回路５２Ｄは、実施例１に係る走査線駆動回路５２に対して、第１否定回路８６を有していない点が異なるが、他の構成は同じである。
【０２８７】
実施例２に係る走査線駆動回路５２Ｄは、選択回路８０の出力信号から第１調整回路８２を用いて選択信号と非選択信号とを含む第１走査信号を形成し、その第１走査信号を第１走査線４２に供給する。また、走査線駆動回路５２Ｄは、選択回路８０の出力信号から第２調整回路８４を用いて保持信号と非保持信号とを含む第２走査信号を形成し、その第２走査信号を第２走査線４５に供給する。実施例２では、第３トランジスター３３ＡがＰ型であり、非保持信号がＨｉｇｈであるので、実施例１のように非保持信号をインバーター７８で反転させる必要がない。即ち、実施例２に係る走査線駆動回路５２Ｄでは、第１否定回路８６が不要となる。
【０２８８】
実施例２に係る走査線駆動回路５２Ｄの動作を説明する。図２２は、実施例２に係る走査線駆動回路の動作を説明するタイミングチャートである。図２２において、第１調整信号ＣＳ１と第２調整信号ＣＳ２とは、図１２に示す実施例１と同じであるものとする。図２２に示すように、第１調整回路８２により、元選択信号に対して選択信号のパルス幅と、非選択信号から選択信号に切り換わるタイミングとが、実施例１と同様に調整される。また、第２調整回路８４により、元選択信号に対して非保持信号のパルス幅と、非保持信号から保持信号に切り換わるタイミングとが調整されるが、実施例１に対して非保持信号はＨｉｇｈとなり保持信号はＬｏｗとなる。
【０２８９】
（実施例３）
「画素回路」
次に、実施例３に係る画素回路の構成を説明する。図２３は、実施例３に係る画素回路の構成を説明する図である。図２３に示すように、実施例３に係る画素回路４１Ｂは、実施例１に係る画素回路４１に対して、信号線４３と第１インバーター６１との間に配置された第２トランジスターがＰ型の第２トランジスター３２Ａである点が異なるが、他の構成は同じである。
【０２９０】
実施例３に係る画素回路４１Ｂは、Ｎ型の第１トランジスター３１と、発光素子２０と、Ｐ型の第４トランジスター３４と、記憶回路６０と、Ｐ型の第２トランジスター３２Ａとを含む。記憶回路６０は、第１インバーター６１と、第２インバーター６２と、Ｎ型の第３トランジスター３３とを含む。第２トランジスター３２Ａのゲートは、第１走査線４２に電気的に接続されている。
【０２９１】
第２トランジスター３２ＡがＰ型であるので、第１走査線４２に供給される第１走査信号において、選択信号はＬｏｗ（低電位）であり、非選択信号はＨｉｇｈ（高電位）である。したがって、実施例３に係る画素回路４１Ｂでは、実施例１に係る画素回路４１に対して、選択信号の電位と非選択信号の電位との高低関係が逆となる。なお、第２走査線４５に供給される第２走査信号は実施例１と同じである。
【０２９２】
「走査線駆動回路」
実施例３に係る走査線駆動回路の構成を説明する。図２４は、実施例３に係る走査線駆動回路の構成を示すブロック図である。図２４に示すように、実施例３に係る走査線駆動回路５２Ｅは、選択回路８０と、第１調整回路８２と、第２調整回路８４と、第１否定回路８６と、第２否定回路８８とを含む。実施例３に係る走査線駆動回路５２Ｄは、実施例１に係る走査線駆動回路５２に対して、第２否定回路８８を有している点が異なるが、他の構成は同じである。第２否定回路８８は、一例として、複数のインバーター７８を含む。第２否定回路８８は、第１調整回路８２に電気的に接続されている。
【０２９３】
実施例３に係る走査線駆動回路５２Ｅは、選択回路８０の出力信号から第１調整回路８２と第２否定回路８８とを用いて選択信号と非選択信号とを含む第１走査信号を形成し、その第１走査信号を第１走査線４２に供給する。また、走査線駆動回路５２Ｅは、選択回路８０の出力信号から第２調整回路８４と第１否定回路８６とを用いて保持信号と非保持信号とを含む第２走査信号を形成し、その第２走査信号を第２走査線４５に供給する。実施例３では、第２トランジスター３２ＡがＰ型であり、選択信号がＬｏｗであるので、実施例１に対して、第１調整回路８２で調整した選択信号をインバーター７８で反転させるための第２否定回路８８が必要となる。
【０２９４】
実施例３に係る走査線駆動回路５２Ｅの動作を説明する。図２５は、実施例３に係る走査線駆動回路の動作を説明するタイミングチャートである。図２５に示すように、第１調整回路８２により、元選択信号に対して選択信号のパルス幅と、非選択信号から選択信号に切り換わるタイミングとが調整されるが、第２否定回路８８により反転されるので、実施例１に対して選択信号はＬｏｗとなり、非選択信号はＨｉｇｈとなる。また、第２調整回路８４により、元選択信号に対して非保持信号のパルス幅と、非保持信号から保持信号に切り換わるタイミングとが調整され、第１否定回路８６により反転されて、実施例１と同様に非保持信号はＬｏｗとなり保持信号はＨｉｇｈとなる。
【０２９５】
（実施例４）
「画素回路」
次に、実施例４に係る画素回路の構成を説明する。図２６は、実施例４に係る画素回路の構成を説明する図である。図２６に示すように、実施例４に係る画素回路４１Ｃは、実施例１に係る画素回路４１に対して、第２トランジスターと第３トランジスターとが、ともにＰ型の第２トランジスター３２Ａ、第３トランジスター３３Ａである点が異なるが、他の構成は同じである。
【０２９６】
実施例４に係る画素回路４１Ｃは、Ｎ型の第１トランジスター３１と、発光素子２０と、Ｐ型の第４トランジスター３４と、記憶回路６０と、Ｐ型の第２トランジスター３２Ａとを含む。記憶回路６０は、第１インバーター６１と、第２インバーター６２と、Ｐ型の第３トランジスター３３Ａとを含む。
【０２９７】
第２トランジスター３２ＡがＰ型であるので、第１走査線４２に供給される第１走査信号において、選択信号はＬｏｗ（低電位）であり、非選択信号はＨｉｇｈ（高電位）である。また、第３トランジスター３３ＡがＰ型であるので、第２走査線４５に供給される第２走査信号において、保持信号はＬｏｗ（低電位）であり、非保持信号はＨｉｇｈ（高電位）である。したがって、実施例４に係る画素回路４１Ｃでは、実施例１に係る画素回路４１に対して、選択信号の電位と非選択信号の電位との高低関係、及び、保持信号の電位と非保持信号の電位との高低関係が逆となる。
【０２９８】
「走査線駆動回路」
実施例４に係る走査線駆動回路の構成を説明する。図２７は、実施例４に係る走査線駆動回路の構成を示すブロック図である。図２７に示すように、実施例４に係る走査線駆動回路５２Ｆは、選択回路８０と、第１調整回路８２と、第２調整回路８４と、第２否定回路８８とを含む。実施例４に係る走査線駆動回路５２Ｆは、実施例１に係る走査線駆動回路５２に対して、第１否定回路８６を有しておらず、第２否定回路８８を有している点が異なるが、他の構成は同じである。
【０２９９】
実施例４に係る走査線駆動回路５２Ｆは、選択回路８０の出力信号から第１調整回路８２と第２否定回路８８とを用いて選択信号と非選択信号とを含む第１走査信号を形成し、その第１走査信号を第１走査線４２に供給する。また、走査線駆動回路５２Ｆは、選択回路８０の出力信号から第２調整回路８４を用いて保持信号と非保持信号とを含む第２走査信号を形成し、その第２走査信号を第２走査線４５に供給する。
【０３００】
実施例４では、第２トランジスター３２ＡがＰ型であり、選択信号がＬｏｗであるので、実施例１に対して、第１調整回路８２で調整した選択信号をインバーター７８で反転させるための第２否定回路８８が必要となる。また、第３トランジスター３３ＡがＰ型であり、非保持信号がＨｉｇｈであるので、実施例１に対して第１否定回路８６が不要となる。
【０３０１】
実施例４に係る走査線駆動回路５２Ｆの動作を説明する。図２８は、実施例４に係る走査線駆動回路の動作を説明するタイミングチャートである。図２８に示すように、第１調整回路８２により、元選択信号に対して選択信号のパルス幅と、非選択信号から選択信号に切り換わるタイミングとが調整されるが、第２否定回路８８により反転されるので、実施例１に対して選択信号はＬｏｗとなり、非選択信号はＨｉｇｈとなる。また、第２調整回路８４により、元選択信号に対して非保持信号のパルス幅と、非保持信号から保持信号に切り換わるタイミングとが調整されるが、非保持信号はＨｉｇｈとなり保持信号はＬｏｗとなる。
【０３０２】
上述した実施形態（実施例及び変形例）は、あくまでも本発明の一態様を示すものであり、本発明の範囲内で任意に変形および応用が可能である。上記以外の変形例としては、例えば、以下のようなものが考えられる。
【０３０３】
（変形例４）
上述した実施例及び変形例の走査線駆動回路では、第１調整回路８２と第２調整回路８４とがＡＮＤ回路（論理積回路）７６を含み、第１調整回路８２と第２調整回路８４との出力側に必要に応じて第１否定回路８６又は第２否定回路８８を備えていたが、本発明はこのような形態に限定されない。第１調整回路８２と第２調整回路８４とがＯＲ回路（論理和回路）を含み、第１調整回路８２と第２調整回路８４との入力側に必要に応じて第１否定回路８６又は第２否定回路８８を備えた構成としてもよい。換言すると、元選択信号と第１調整信号ＣＳ１又は第２調整信号ＣＳ２との論理積をとり必要に応じて反転信号として選択信号又は非保持信号を出力する代わりに、元選択信号の反転信号と第１調整信号ＣＳ１又は第２調整信号ＣＳ２の反転信号との論理和を取り選択信号又は非保持信号を出力する構成としてもよい。また、例えば、ＯＲ回路を含む第１調整回路８２の入力側と出力側とに第２否定回路８８を備えた構成として、元選択信号の反転信号と第１調整信号ＣＳ１の反転信号との論理和を取り、その反転信号を選択信号として出力する構成としてもよい。要するに、走査線駆動回路は、元選択信号に対して論理演算結果が同じとなるような構成であれば上述した実施例及び変形例以外の構成とすることが可能である。
【０３０４】
（変形例５）
上述した実施例及び変形例の画素回路では、第１トランジスター３１のゲートが第２インバーター６２の出力端子２７に電気的に接続されていたが、本発明はこのような形態に限定されない。第１トランジスター３１のゲートが第２インバーター６２の入力端子２８、即ち、第１インバーター６１の出力端子２６と、第２インバーター６２の入力端子２８に電気的に接続されていてもよい。
【０３０５】
（変形例６）
上述した実施例及び変形例の画素回路では、記憶回路６０が２つのインバーター６１，６２を含んでいたが、本発明はこのような形態に限定されない。記憶回路６０が２つ以上の偶数個のインバーターを含む構成であってもよい。
【０３０６】
（変形例７）
上述した実施例及び変形例では、電気光学装置として、単結晶半導体基板（単結晶シリコン基板）からなる素子基板１１に有機ＥＬ素子からなる発光素子２０が７２０行×３８４０（１２８０×３）列配列された有機ＥＬ装置を例に取り説明したが、本発明の電気光学装置はこのような形態に限定されない。例えば、電気光学装置はガラス基板からなる素子基板１１に各トランジスターとして薄膜トランジスター（Thin Film Transistor：ＴＦＴ）が形成された構成を有していてもよいし、ポリイミド等からなるフレキシブル基板に薄膜トランジスターが形成された構成を有していてもよい。また、電気光学装置は、発光素子として微細なＬＥＤ素子を高密度に配列したマイクロＬＥＤディスプレイや、発光素子にナノサイズの半導体結晶物質を用いる量子ドット（Quantum Dots）ディスプレイであってもよい。さらに、カラーフィルターとして入射してきた光を別の波長の光に変換する量子ドットを用いてもよい。また、電気光学装置は、発光素子を備えた構成に限定されない。電気光学装置は、光変調装置等であってもよい。光変調装置としては、例えば、シリコン基板上に液晶層が形成されたＬＣＯＳ（Liquid Crystal On Silicon）や、マイクロミラー型光変調装置のＤＭＤ（登録商標）（Digital Micromirror Device）等があげられる。
【０３０７】
（変形例８）
上述した実施形態では、発光素子を備えた電気光学装置を例に取り説明したが、本発明は半導体装置等の電子装置にも適用することが可能である。例えば、本発明は、複数の要素回路が行列状（複数行一列の配置も含む）に配置され、各要素回路に相補的な２つの信号が供給される半導体装置に適用できる。このような半導体装置の好適な例としては、ＳＲＡＭ（Static Random Access Memory）等があげられる
【０３０８】
（変形例９）
上述した実施形態では、電子機器として、電気光学装置１０を組み込んだシースルー型のヘッドマウントディスプレイ１００を例に取り説明したが、本発明の電気光学装置１０はクローズ型のヘッドマントディスプレイを始めとした他の電子機器にも適用できる。他の電子機器としては、例えば、プロジェクター、リアプロジェクション型テレビ、直視型テレビ、携帯電話、携帯用オーディオ機器、パーソナルコンピューター、ビデオカメラのモニター、カーナビゲーション装置、ヘッドアップディスプレイ、ページャー、電子手帳、電卓、腕時計等のウェアラブル機器、ハンドヘルドディスプレイ、ワードプロセッサー、ワークステーション、テレビ電話、ＰＯＳ端末、ディジタルスチルカメラ、サイネージディスプレイなどをあげることができる。また、これらの電子機器が変形例８の電子装置を備えていてもよい。
【０３０９】
以下に、本実施形態から導き出される内容を記載する。
【０３１０】
本願の電気光学装置は、第１走査線と、第２走査線と、信号線と、前記第１走査線及び前記第２走査線と前記信号線との交差に対応して設けられた画素回路と、前記第１走査線に選択信号又は非選択信号を供給し、前記第２走査線に保持信号又は非保持信号を供給する走査線駆動回路と、を備え、前記走査線駆動回路は、前記選択信号と前記非保持信号とを同一期間に出力し得ることを特徴とする。
【０３１１】
この構成によれば、走査線駆動回路は、第１走査線に選択信号を供給すると共に第２走査線に非保持信号を供給することができる。したがって、画素回路が、記憶回路と、ゲートが第１走査線に電気的に接続され、記憶回路と信号線との間に配置された第２トランジスターと、を含み、さらに、記憶回路が、第１インバーターと、第２インバーターと、第２インバーターの出力と第１インバーターの入力との間に配置された第３トランジスターと、を含む場合、記憶回路への画像信号の書き込み（又は書き換え）を高速かつ確実に行うことができる。
【０３１２】
即ち、第１走査線に選択信号を供給し第２トランジスターをオン状態にして画像信号を第１インバーター及び第２インバーターに書き込む（又は書き換える）際に、第２走査線に非保持信号を供給して第３トランジスターをオフ状態としているため、第２インバーターの出力と第１インバーターの入力との間の電気的な接続が遮断されるので、記憶回路への画像信号の書き込み（又は書き換え）を高速かつ確実に行うことができる。さらに、画像信号を信号線から第１インバーターへ、そして第１インバーターから第２インバーターへと書き込むので、信号線から第１インバーターへ画像信号を書き込むのと並行して相補的な画像信号を相補信号線から第２インバーターへ書き込む場合と比べて、相補信号線や相補トランジスターを不要にできる。そのため、画素を微細化して高解像度化することが容易となり、かつ、配線数を増やす必要がないので製造歩留まりを向上できる。これらの結果、高解像度で高品位な画像を低消費電力で表示できる電気光学装置を低コストで実現することができる。
【０３１３】
さらに、画素回路が、ゲートが記憶回路に電気的に接続された第１トランジスターと発光素子とを含む場合、第２トランジスターを介してオン／オフの２値で表現されるデジタル信号を記憶回路に書き込み、第１トランジスターを介して発光素子の発光と非発光との割合を制御して階調表示を行うことが可能となる。これにより、各トランジスターの電圧電流特性や閾値電圧のばらつきの影響を受け難くなるので、補償回路がなくても、画素間での明るさのばらつきや階調のずれを低減できる。
【０３１４】
上記の電気光学装置において、前記走査線駆動回路は選択回路と第１否定回路とを含み、前記選択回路の出力信号から前記選択信号と前記非選択信号とを形成し、前記出力信号から前記第１否定回路を用いて前記保持信号と前記非保持信号とを形成することが好ましい。
【０３１５】
この構成によれば、選択回路と第１否定回路とを含む簡易な回路構成にて、ほぼ相補的な関係の選択信号と非保持信号とを形成することができる。従って、選択信号でオン状態となる第２トランジスターと、非保持信号でオフ状態となる第３トランジスターとを同一極性としても、両トランジスターが互いに相補的な動作を行うので、記憶回路への画像信号の書き込み（又は書き換え）を高速かつ確実に行うことができる。
【０３１６】
上記の電気光学装置において、前記走査線駆動回路は入力信号を調整する第１調整回路を含み、前記出力信号は元選択信号を含み、前記第１調整回路を用いて前記元選択信号から前記選択信号を形成することが好ましい。
【０３１７】
この構成によれば、選択回路と第１調整回路とを含む簡易な回路構成にて、選択信号が供給され始める時刻と、選択信号の供給が停止する時刻と、選択信号が供給され続ける期間と、を制御することができる。従って、選択信号により、第２トランジスターのオン／オフ動作を自在に制御することができる。
【０３１８】
上記の電気光学装置において、前記走査線駆動回路は入力信号を調整する第２調整回路を含み、前記出力信号は元選択信号を含み、前記第２調整回路と前記第１否定回路とを用いて前記元選択信号から前記非保持信号を形成することが好ましい。
【０３１９】
この構成によれば、選択回路と第２調整回路と第１否定回路とを含む簡易な回路構成にて、非保持信号が供給され始める時刻と、非保持信号の供給が停止する時刻と、非保持信号が供給され続ける期間と、を制御することができる。従って、非保持信号により、第３トランジスターのオン／オフを自在に制御することができる。
【０３２０】
上記の電気光学装置において、前記走査線駆動回路は選択回路を含み、前記選択回路の出力信号から前記選択信号と前記非選択信号とを形成し、前記出力信号から前記保持信号と前記非保持信号とを形成することが好ましい。
【０３２１】
この構成によれば、選択回路を含む簡易な回路構成にて、ほぼ同相な関係の選択信号と非保持信号とを形成することができる。この場合、選択信号でオン状態となる第２トランジスターと、非保持信号でオフ状態となる第３トランジスターとを逆極性とすれば、両トランジスターが互いに相補的な動作を行うので、記憶回路への画像信号の書き込み（又は書き換え）を高速かつ確実に行うことができる。
【０３２２】
上記の電気光学装置において、前記走査線駆動回路は入力信号を調整する第１調整回路を含み、前記出力信号は元選択信号を含み、前記第１調整回路を用いて前記元選択信号から前記選択信号を形成することが好ましい。
【０３２３】
この構成によれば、選択回路と第１調整回路とを含む簡易な回路構成にて、選択信号が供給され始める時刻と、選択信号の供給が停止する時刻と、選択信号が供給され続ける期間と、を制御することができる。従って、選択信号により、第２トランジスターのオン／オフ動作を自在に制御することができる。
【０３２４】
上記の電気光学装置において、前記走査線駆動回路は入力信号を調整する第２調整回路を含み、前記出力信号は元選択信号を含み、前記第２調整回路を用いて前記元選択信号から前記非保持信号を形成することが好ましい。
【０３２５】
この構成によれば、選択回路と第２調整回路とを含む簡易な回路構成にて、非保持信号が供給され始める時刻と、非保持信号の供給が停止する時刻と、非保持信号が供給され続ける期間と、を制御することができる。従って、非保持信号により、第３トランジスターのオン／オフを自在に制御することができる。
【０３２６】
上記の電気光学装置において、前記走査線駆動回路は選択回路と第１否定回路と第２否定回路とを含み、前記選択回路の出力信号から前記第２否定回路を用いて前記選択信号と前記非選択信号とを形成し、前記出力信号から前記第１否定回路を用いて前記保持信号と前記非保持信号とを形成することが好ましい。
【０３２７】
この構成によれば、選択回路と第１否定回路と第２否定回路とを含む簡易な回路構成にて、ほぼ同相な関係の選択信号と非保持信号とを形成することができる。従って、選択信号でオン状態となる第２トランジスターと、非保持信号でオフ状態となる第３トランジスターとを逆極性とすれば、両トランジスターが互いに相補的な動作を行うので、記憶回路への画像信号の書き込み（又は書き換え）を高速かつ確実に行うことができる。
【０３２８】
上記の電気光学装置において、前記走査線駆動回路は入力信号を調整する第１調整回路を含み、前記出力信号は元選択信号を含み、前記第１調整回路と前記第２否定回路とを用いて前記元選択信号から前記選択信号を形成することが好ましい。
【０３２９】
この構成によれば、選択回路と第１調整回路と第２否定回路とを含む簡易な回路構成にて、選択信号が供給され始める時刻と、選択信号の供給が停止する時刻と、選択信号が供給され続ける期間と、を制御することができる。従って、選択信号により、第２トランジスターのオン／オフ動作を自在に制御することができる。
【０３３０】
上記の電気光学装置において、前記走査線駆動回路は入力信号を調整する第２調整回路を含み、前記出力信号は元選択信号を含み、前記第２調整回路と前記第１否定回路とを用いて前記元選択信号から前記非保持信号を形成することが好ましい。
【０３３１】
この構成によれば、選択回路と第２調整回路と第１否定回路とを含む簡易な回路構成にて、非保持信号が供給され始める時刻と、非保持信号の供給が停止する時刻と、非保持信号が供給され続ける期間と、を制御することができる。従って、非保持信号により、第３トランジスターのオン／オフを自在に制御することができる。
【０３３２】
上記の電気光学装置において、前記走査線駆動回路は選択回路と第２否定回路とを含み、前記選択回路の出力信号から前記第２否定回路を用いて前記選択信号と前記非選択信号とを形成し、前記出力信号から前記保持信号と前記非保持信号とを形成することが好ましい。
【０３３３】
この構成によれば、選択回路と第２否定回路とを含む簡易な回路構成にて、ほぼ相補的な関係の選択信号と非保持信号とを形成することができる。従って、選択信号でオン状態となる第２トランジスターと、非保持信号でオフ状態となる第３トランジスターとを同一極性としても、両トランジスターが互いに相補的な動作を行うので、記憶回路への画像信号の書き込み（又は書き換え）を高速かつ確実に行うことができる。
【０３３４】
上記の電気光学装置において、前記走査線駆動回路は入力信号を調整する第１調整回路を含み、前記出力信号は元選択信号を含み、前記第１調整回路と前記第２否定回路とを用いて前記元選択信号から前記選択信号を形成することが好ましい。
【０３３５】
この構成によれば、選択回路と第１調整回路と第２否定回路とを含む簡易な回路構成にて、選択信号が供給され始める時刻と、選択信号の供給が停止する時刻と、選択信号が供給され続ける期間と、を制御することができる。従って、選択信号により、第２トランジスターのオン／オフ動作を自在に制御することができる。
【０３３６】
上記の電気光学装置において、前記走査線駆動回路は第２調整回路を含み、前記出力信号は元選択信号を含み、前記第２調整回路を用いて前記元選択信号から前記非保持信号を形成することが好ましい。
【０３３７】
この構成によれば、選択回路と第２調整回路とを含む簡易な回路構成にて、非保持信号が供給され始める時刻と、非保持信号の供給が停止する時刻と、非保持信号が供給され続ける期間と、を制御することができる。従って、非保持信号により、第３トランジスターのオン／オフを自在に制御することができる。
【０３３８】
本願の電子機器は、上記の電気光学装置を備えたことを特徴とする。
【０３３９】
この構成によれば、例えばヘッドマウントディスプレイ等の電子機器に表示される画像の高品位化を実現することができる。
【０３４０】
本願の電子装置は、第１行線と、第２行線と、列線と、前記第１行線及び第２行線と前記列線との交差に対応して設けられた要素回路と、前記第１行線に第１信号又は非第１信号を供給し、前記第２行線に第２信号又は非第２信号を供給する行線駆動回路と、を備え、前記行線駆動回路は前記第１信号と前記非第２信号とを同一期間に出力し得ることを特徴とする。
【０３４１】
この構成によれば、行線駆動回路は、第１行線に第１信号を供給すると共に第２行線に非第２信号を供給することができる。したがって、要素回路が、記憶回路と、ゲートが第１行線に電気的に接続され、記憶回路と列線との間に配置された第２トランジスターと、を含み、さらに、記憶回路が、第１インバーターと、第２インバーターと、第２インバーターの出力と第１インバーターの入力との間に配置された第３トランジスターと、を含む場合、記憶回路への画像信号の書き込み（又は書き換え）を高速かつ確実に行うことができる。
【０３４２】
即ち、第１行線に第１信号を供給し第２トランジスターをオン状態にして信号を第１インバーター及び第２インバーターに書き込む（又は書き換える）際に、第２行線に非第２信号を供給して第３トランジスターをオフ状態としているため、第２インバーターの出力と第１インバーターの入力との間の電気的な接続が遮断されるので、記憶回路への信号の書き込み（又は書き換え）を高速かつ確実に行うことができる。さらに、信号を列線から第１インバーターへ、そして第１インバーターから第２インバーターへと書き込むので、列線から第１インバーターへ画像信号を書き込むのと並行して相補的な信号を相補列線から第２インバーターへ書き込む場合と比べて、相補列線や相補トランジスターを不要にできる。そのため、要素回路を微細化して高密度化することが容易となり、かつ、配線数を増やす必要がないので製造歩留まりを向上できる。これらの結果、高容量で情報を正確に記憶できる電子装置を低コストで実現することができる。
【０３４３】
上記の電子装置において、前記行線駆動回路は選択回路と第１否定回路とを含み、前記選択回路の出力信号から前記第１信号と前記非第１信号とを形成し、前記出力信号から前記第１否定回路を用いて前記第２信号と前記非第２信号とを形成することが好ましい。
【０３４４】
この構成によれば、選択回路と第１否定回路とを含む簡易な回路構成にて、ほぼ相補的な関係の第１信号と非第１信号とを形成することができる。従って、第１信号でオン状態となる第２トランジスターと、非第１信号でオフ状態となる第３トランジスターとを同一極性としても、両トランジスターが互いに相補的な動作を行うので、記憶回路への信号の書き込み（又は書き換え）を高速かつ確実に行うことができる。
【０３４５】
上記の電子装置において、前記行線駆動回路は選択回路を含み、前記選択回路の出力信号から前記第１信号と前記非第１信号とを形成し、前記出力信号から前記第２信号と前記非第２信号とを形成することが好ましい。
【０３４６】
この構成によれば、選択回路を含む簡易な回路構成にて、ほぼ同相な関係の第１信号と非第２信号とを形成することができる。従って、第１信号でオン状態となる第２トランジスターと、非第２信号でオフ状態となる第３トランジスターとを逆極性とすれば、両トランジスターが互いに相補的な動作を行うので、記憶回路への信号の書き込み（又は書き換え）を高速かつ確実に行うことができる。
【０３４７】
上記の電子装置において、前記行線駆動回路は選択回路と第１否定回路と第２否定回路とを含み、前記選択回路の出力信号から前記第２否定回路を用いて前記第１信号と前記非第１信号とを形成し、前記出力信号から前記第１否定回路を用いて前記第２信号と前記非第２信号とを形成することが好ましい。
【０３４８】
この構成によれば、選択回路と第１否定回路と第２否定回路とを含む簡易な回路構成にて、ほぼ同相な関係の第１信号と非第２信号とを形成することができる。従って、第１信号でオン状態となる第２トランジスターと、非第２信号でオフ状態となる第３トランジスターとを逆極性とすれば、両トランジスターが互いに相補的な動作を行うので、記憶回路への信号の書き込み（又は書き換え）を高速かつ確実に行うことができる。
【０３４９】
上記の電子装置において、前前記行線駆動回路は選択回路と第２否定回路とを含み、前記選択回路の出力信号から前記第２否定回路を用いて前記第１信号と前記非第１信号とを形成し、前記出力信号から前記第２信号と前記非第２信号とを形成することが好ましい。
【０３５０】
この構成によれば、選択回路と第２否定回路とを含む簡易な回路構成にて、ほぼ相補的な関係の第１信号と非第２信号とを形成することができる。従って、第１信号でオン状態となる第２トランジスターと、非第２信号でオフ状態となる第３トランジスターとを同一極性としても、両トランジスターが互いに相補的な動作を行うので、記憶回路への信号の書き込み（又は書き換え）を高速かつ確実に行うことができる。
【０３５１】
本願の電子機器は、上記の電子装置を備えたことを特徴とする。
【０３５２】
この構成によれば、高速かつ確実に動作する電子機器を提供できる。
【符号の説明】
【０３５３】
１０…電気光学装置、４１，４１Ａ，４１Ｂ，４１Ｃ…画素回路（要素回路）、４２…第１走査線（第１行線）、４３…信号線（列線）、４５…第２走査線（第２行線）、５２，５２Ａ，５２Ｂ，５２Ｃ，５２Ｄ，５２Ｅ，５２Ｆ…走査線駆動回路（行線駆動回路）、８０…選択回路、８２…第１調整回路、８４…第２調整回路、８６…第１否定回路、８８…第２否定回路、１００…ヘッドマウントディスプレイ（電子機器）。
【図１】
2019144295.tif 000011
【図２】
2019144295.tif 000012
【図３】
2019144295.tif 000013
【図４】
2019144295.tif 000014
【図５】
2019144295.tif 000015
【図６】
2019144295.tif 000016
【図７】
2019144295.tif 000017
【図８】
2019144295.tif 000018
【図９】
2019144295.tif 000019
【図１０】
2019144295.tif 000020
【図１１】
2019144295.tif 000021
【図１２】
2019144295.tif 000022
【図１３】
2019144295.tif 000023
【図１４】
2019144295.tif 000024
【図１５】
2019144295.tif 000025
【図１６】
2019144295.tif 000026
【図１７】
2019144295.tif 000027
【図１８】
2019144295.tif 000028
【図１９】
2019144295.tif 000029
【図２０】
2019144295.tif 000030
【図２１】
2019144295.tif 000031
【図２２】
2019144295.tif 000032
【図２３】
2019144295.tif 000033
【図２４】
2019144295.tif 000034
【図２５】
2019144295.tif 000035
【図２６】
2019144295.tif 000036
【図２７】
2019144295.tif 000037
【図２８】
2019144295.tif 000038
【手続補正書】
【提出日】平成31年3月8日(2019.3.8)
【手続補正１】
【補正対象書類名】明細書
【補正対象項目名】００３９
【補正方法】変更
【補正の内容】
【００３９】
プリズム１１０は、可視域で高い光透過性を示す樹脂材料で形成されており、例えば型内に熱可塑性樹脂を注入し固化させることにより、成形する。プリズム１１０の本体部分１１０ｓ（図３参照）は、一体成形品とされているが、第１プリズム部分１１１と第２プリズム部分１１２とに分けて考えることができる。第１プリズム部分１１１は、映像光ＧＬの導波及び出射を可能にすると共に、外界光の透視を可能にする。第２プリズム部分１１２は、映像光ＧＬの入射及び導波を可能にする。
【手続補正２】
【補正対象書類名】明細書
【補正対象項目名】０２３９
【補正方法】変更
【補正の内容】
【０２３９】
ＡＮＤ回路７６のＯｕｔ  ｎは、分岐されて第１調整回路８２と第２調整回路８４とに電気的に接続されている。各ＡＮＤ回路７６のＯｕｔ  ｎから出力される元走査信号は、第１調整回路８２と第２調整回路８４とに供給される。元走査信号は、元選択信号と非元選択信号とを含む。したがって、選択回路８０から第１調整回路８２と第２調整回路８４とに元選択信号又は非元選択信号が供給される。実施例１では、一例として、元選択信号はＨｉｇｈであり、非元選択信号はＬｏｗである。
【手続補正３】
【補正対象書類名】明細書
【補正対象項目名】０２４５
【補正方法】変更
【補正の内容】
【０２４５】
実施例１に係る走査線駆動回路５２は、選択回路８０のＡＮＤ回路７６のＯｕｔ  ｎから出力される元走査信号と第２調整信号ＣＳ２との論理積を第２調整回路８４で取り第１否定回路８６で反転して形成した出力信号を、第２走査信号Ｓｃａｎ  ｎとして第２走査線４５に出力する。すなわち、走査線駆動回路５２は、元走査信号が元選択信号であるときに第２調整回路８４と第１否定回路８６とを用いて形成した非保持信号もしくは保持信号、又は元走査信号が非元選択信号であるときに第２調整回路８４と第１否定回路８６とを用いて形成した保持信号を、第２走査信号ＸＳｃａｎ  ｎとして第２走査線４５に供給する。例えば、走査線駆動回路５２は、選択回路８０の１番目のＡＮＤ回路７６のＯｕｔ  １の元選択信号から形成した非保持信号又は非元選択信号から形成した保持信号を、第２走査信号ＸＳｃａｎ  １として１本目の第２走査線４５に供給する。
【手続補正４】
【補正対象書類名】明細書
【補正対象項目名】０３０４
【補正方法】変更
【補正の内容】
【０３０４】
（変形例５）
上述した実施例及び変形例の画素回路では、第１トランジスター３１のゲートが第２インバーター６２の出力端子２７に電気的に接続されていたが、本発明はこのような形態に限定されない。第１トランジスター３１のゲートが第２インバーター６２の入力端子２８、即ち、第１インバーター６１の出力端子２６に電気的に接続されていてもよい。